(57)【要約】  本発明は、モバイル電子機器を備えた、被測定物の測定イメージをキャプチャする為のシステム（１）に関し、モバイル電子機器（２）が、−ハウジング（５）と、−ハウジング（５）内に一体化されたカメラ（６）であって、カメラ（６）の観測領域（２０）内で被測定物（３８）の測定イメージ（３９）を記録する為のカメラ（６）と、−イメージの発光表示の為の、ハウジング（５）に一体化されたスクリーン（７）であって、カメラ（６）の観測領域（２０）に面しているスクリーン（７）と、−前記ハウジング（５）内に一体化され、モバイル電子機器（２）のスクリーン（７）を、所定の照明イメージシーケンスの複数の異なる照明イメージ（２３）を順次表示するように作動させるように構成された制御ユニット（８）を備え、制御ユニット（８）は、所定の照明イメージシーケンスの各照明イメージ（２３）の表示と同時に、被測定物の測定イメージ（３９）をキャプチャするように前記モバイル電子機器（２）の前記カメラ（６）を作動させるように構成されている。本発明は更に、対応する方法及びコンピュータプログラム製品にも関する。【選択図】図１
2020507103.tif 000002
【特許請求の範囲】
【請求項１】
モバイル電子機器（２）を備えた、被測定物の測定イメージをキャプチャする為のシステム（１）であって、前記モバイル電子機器（２）が、
−ハウジング（５）と、
−前記ハウジング（５）内に一体化されたカメラ（６）であって、前記カメラ（６）の観測領域（２０）内で被測定物（３８）の測定イメージ（３９）をキャプチャする為のカメラ（６）と、
−イメージの発光表示の為の、前記ハウジング（５）に一体化されたスクリーン（７）であって、前記カメラ（６）の観測領域（２０）に面しているスクリーン（７）と、
−前記ハウジング（５）内に一体化され、前記モバイル電子機器（２）のスクリーン（７）を、所定の照明イメージシーケンスの幾つかの異なる照明イメージ（２３）を順次表示するように作動させるように構成された制御ユニット（８）であって、所定の照明イメージシーケンスの各照明イメージ（２３）の表示と同時に、被測定物の測定イメージ（３９）をキャプチャさせるように前記モバイル電子機器（２）の前記カメラ（６）を作動させるように構成された制御ユニット（８）と、を備えたシステム（１）。
【請求項２】
請求項１に記載のシステム（１）であって、前記モバイル電子機器（２）のスクリーン（７）が幾つかのカラーチャネルを備え、前記スクリーン（７）が前記カラーチャネルそれぞれにおいてチャネル固有のスペクトル発光特性を有し、前記スクリーン（７）はグリッドに配置された複数の光学素子を備え、前記カラーチャネルそれぞれは、そのスペクトル発光特性が、それぞれのカラーチャネルのチャネル固有のスペクトル発光特性に対応する、前記スクリーン（７）の光学素子のサブセットによって形成されることを特徴とするシステム（１）。
【請求項３】
請求項２に記載のシステム（１）であって、前記モバイル電子機器（２）の前記制御ユニット（８）が、
−前記スクリーン（７）の単一のカラーチャネルのみの光学素子を作動させ、このカラーチャネルの全ての作動された光学素子を、このカラーチャネルに関して予め定められた均一な輝度値で作動させることによって、又は、
−幾つかのカラーチャネルの光学素子を作動させ、全ての作動された光学素子を、それぞれのカラーチャネルに関して予め定められた均一な輝度値で作動させることによって、又は、
−１つ以上のカラーチャネルの光学素子を作動させ、全ての作動された光学素子を、それぞれのカラーチャネルに関して予め定められた勾配をもって作動させることによって、
所定の照明イメージシーケンスの照明イメージ（２３）の１つ以上を表示するように前記モバイル電子機器（２）のスクリーン（７）を作動させるように構成されていることを特徴とするシステム（１）。
【請求項４】
請求項２又は３のうちいずれか一項に記載のシステム（１）であって、
前記モバイル電子機器（２）のスクリーン（７）が赤色カラーチャネル、緑色カラーチャネル及び青色カラーチャネルを備え、前記照明シーケンスが赤色照明イメージ（２３）、緑色照明イメージ（２４）及び青色照明イメージ（２５）を備え、前記モバイル電子機器（２）の制御ユニット（８）が、
−前記スクリーン（７）の赤色カラーチャネルのみの光学素子を作動させ、前記赤色カラーチャネルの全ての作動された光学素子を、前記赤色カラーチャネルに関して予め定められた均一な輝度値で作動させることによって赤色照明イメージ（２３）を表示し、
−前記スクリーン（７）の緑色カラーチャネルのみの光学素子を作動させ、前記緑色カラーチャネルの全ての作動された光学素子を、前記緑色カラーチャネルに関して予め定められた均一な輝度値で作動させることによって緑色照明イメージ（２４）を表示し、及び／又は、
−前記スクリーン（７）の青色カラーチャネルのみの光学素子を作動させ、前記青色カラーチャネルの全ての作動された光学素子を、前記青色カラーチャネルに関して予め定められた均一な輝度値で作動させることによって青色照明イメージ（２５）を表示する、
ように前記スクリーン（７）を作動させることを特徴とするシステム（１）。
【請求項５】
請求項１乃至４に記載のシステム（１）であって、所定の照明イメージシーケンスの各照明イメージ（２３）のうち以下のイメージ特性：
−それぞれの照明イメージを表示したときに前記スクリーン（７）によって発光される光のスペクトル組成、及び／又は、
−前記スクリーン（７）の各カラーチャネルに関して、請求項２乃至４のうちいずれか一項にこの請求項が戻って関連する限りの、均一な輝度値、及び／又は、
−それぞれの照明イメージ（２８，２９，３０）によってフィルアウトされるスクリーン領域、及び／又は、
−前記スクリーン（７）の全イメージ領域（２２）内でそれぞれの照明イメージ（２８，２９，３０）によってフィルアウトされるスクリーン領域の配置、
のうち１つ以上が予め定められているシステム（１）。
【請求項６】
請求項１乃至５のいずれか一項に記載のシステム（１）であって、前記照明イメージそれぞれは前記スクリーン（７）の全イメージ領域の部分領域（３３）のみをフィルアウトし、前記照明イメージのフィルアウトされた部分領域（３３）は、前記スクリーン（７）の全イメージ領域上でのそれらの配置において互いに異なっていることを特徴とするシステム（１）。
【請求項７】
請求項６に記載のシステム（１）であって、前記スクリーン（７）の全イメージ領域は上縁（３４）を備え、前記照明イメージのフィルアウトされた部分領域（３３）は、前記スクリーン（７）の全イメージ領域の前記上縁（３４）からのそれらの距離において互いに異なっており、前記レンズは前記スクリーン（７）の全イメージ領域の前記上縁（３４）の上方に配置されていることを特徴とするシステム（１）。
【請求項８】
請求項１乃至７に記載のシステム（１）であって、前記システム（１）は、所定の照明イメージシーケンスを部分的に又は完全に規定する照明パラメータが記憶されている少なくとも１つのデータメモリ（９，１１）を備え、前記モバイル機器（２）の制御ユニット（８）が、前記少なくとも１つのデータメモリ（９，１１）に記憶された照明パラメータを前記データメモリ（９，１１）から検索し、前記検索された照明パラメータに基づいて所定の照明イメージシーケンスを決定するように構成されていることを特徴とするシステム（１）。
【請求項９】
請求項１乃至８に記載のシステム（１）であって、前記モバイル電子機器（２）のカメラ（６）が幾つかの異なるカラーチャネルを備え、前記カメラ（６）は、カラーチャネルそれぞれに関してチャネル固有のスペクトル感度を有し、前記カメラ（６）はグリッドで配置された複数のセンサ素子を備えたイメージセンサを備え、前記カメラ（６）のカラーチャネルそれぞれは、そのスペクトル感度が前記カメラ（６）のそれぞれのカラーチャネルのチャネル固有の感度に対応するイメージセンサのセンサ素子のサブセットによって形成されることを特徴とするシステム（１）。
【請求項１０】
前記モバイル電子機器（２）のカメラ（６）は赤色カラーチャネル、緑色カラーチャネル及び青色カラーチャネルを備えていることを特徴とする請求項９に記載のシステム（１）。
【請求項１１】
請求項１乃至１０のいずれか一項に記載のシステム（１）であって、前記測定イメージ（３９）それぞれは複数の像点（４０）並びに前記像点（４０）に割り当てられたイメージデータを備え、前記システム（１）が、前記測定イメージ（３９）の像点（４０）をマージし、前記マージされた像点のイメージデータを、それぞれのマージされた像点（４０）の測定データセットにグループ化するように構成された評価ユニット（１３，１４）を備えていることを特徴とするシステム（１）。
【請求項１２】
請求項１１に記載のシステム（１）であって、前記評価ユニット（１３，１４）は、前記測定イメージ（３９）の像点（４０）を前記測定イメージ（３９）のイメージレジストレーションによってマージするように構成されていることを特徴とするシステム（１）。
【請求項１３】
請求項１１及び１２のうちいずれか一項に記載のシステム（１）であって、前記評価ユニット（１３，１４）は、測定データセットを、機械学習によって較正又は訓練されたアルゴリズムによって評価するように構成されているシステム（１）。
【請求項１４】
請求項１３に記載のシステム（１）であって、前記アルゴリズムは、モニタされた学習方法によって、又は、モニタされない学習方法によって訓練されていることを特徴とするシステム（１）。
【請求項１５】
請求項１１乃至１４のうちいずれか一項に記載のシステム（１）であって、前記評価ユニット（１３，１４）は、前記測定データセットを分類方法によって評価するように構成されていることを特徴とするシステム（１）。
【請求項１６】
請求項１１乃至１５のいずれか一項に記載のシステム（１）であって、前記評価ユニット（１３，１４）は、前記測定データセットを人工ニューラルネットワークによって評価するように構成されているシステム（１）。
【請求項１７】
請求項１１乃至１６のいずれか一項に記載のシステム（１）であって、前記評価ユニット（１３，１４）は、測定データセットそれぞれを少なくとも１つの予め定められた基準データセットと比較するように構成されているシステム（１）。
【請求項１８】
請求項１１乃至１７のいずれか一項に記載のシステム（１）であって、前記評価ユニット（１３，１４）は、前記カメラ（６）のスペクトル感度と前記スクリーンのスペクトル発光特性を考慮に入れながら前記測定データセットからの被測定物（３８）の少なくとも１つの反射特性を決定するように構成されていることを特徴とするシステム（１）。
【請求項１９】
請求項１８に記載のシステム（１）であって、前記評価ユニット（１３，１４）は、前記被測定物の決定された少なくとも１つの反射特性を、少なくとも１つの予め定められた基準反射特性と比較するように構成されていることを特徴とするシステム（１）。
【請求項２０】
請求項２乃至５のうちいずれか一項及び請求項９又は１０のうちいずれか一項と組み合わせた、請求項１１乃至１９のうちいずれか一項に記載のシステム（１）であって、前記スクリーン（７）がＭ個のカラーチャネルを備え前記カメラ（６）がＮ個のカラーチャネルを備え、Ｍ＞１であってＮ＞１であり、各測定データセットが少なくともＭ×Ｎ測定値を備え（Ｆ（ｄ，ｃ）、１≦ｄ≦Ｍであり１≦ｃ≦Ｎ）、Ｍ×Ｎ測定値は、前記スクリーンのカラーチャネルと前記カメラ（６）のカラーチャネルのＭ×Ｎ個の異なる組み合わせに対応することを特徴とするシステム（１）。
【請求項２１】
請求項１乃至２０のいずれかに記載のシステム（１）であって、前記モバイル電子機器（２）はユーザインターフェース（１６）を備え、
−所定の照明イメージシーケンスをユーザインターフェース（１６）を介して設定でき及び／又は、
−前記ユーザインターフェース（１６）を介して異なる所定の照明イメージシーケンス間での選択が可能となり、及び／又は、
−前記ユーザインターフェース（１６）を介して、異なる被測定物間で、及び／又は関心対象の被測定物の異なる特性間での選択が可能となり、前記制御機器は、前記被測定物及び／又は関心対象の特性のなされた選択に則して、幾つかの記憶された所定の照明イメージシーケンス間で、所定の照明イメージシーケンスを選択するように構成されていることを特徴とするシステム（１）。
【請求項２２】
請求項１乃至２１のいずれか一項に記載のシステム（１）であって、前記モバイル機器（２）は較正モードに切替可能であることを特徴とし、前記モバイル機器（２）は前記較正モードにおいて、言及した前記較正規準の測定イメージをキャプチャし、前記較正規準と、前記較正規準に属する記憶された基準データセットの測定イメージを用いながら前記モバイル機器（２）の較正、特に、前記カメラ（６）及び／又は較正スクリーン（７）の較正を実行するように構成されているシステム（１）。
【請求項２３】
前記スクリーン（７）はタッチスクリーンとして設計されていることを特徴とする請求項１乃至２２のいずれか一項に記載のシステム（１）。
【請求項２４】
前記モバイル電子機器はスマートフォン又はタブレットコンピュータである、請求項１乃至２３のいずれか一項に記載のシステム（１）。
【請求項２５】
請求項１乃至２４のいずれか一項に記載のシステムによって被測定物の測定イメージをキャプチャする方法であって、
−制御ユニット（８）によって、所定の照明イメージシーケンスの幾つかの異なる照明イメージを順次表示するように前記モバイル電子機器（２）のスクリーン（７）を作動させるステップと、
−所定の照明イメージシーケンスの各照明イメージの表示と同時に被測定物の測定イメージをキャプチャするように前記モバイル電子機器のカメラ（６）を作動させるステップと、を含む方法。
【請求項２６】
請求項１乃至１８のいずれか一項に記載の前記システムのモバイル機器（２）の内部データメモリ（１１）に直接ロードされ得るコンピュータプログラム製品（１０）であって、ソフトウェアコードセクションを備え、前記コンピュータプログラム製品（１０）が前記モバイル電子機器（２）上で稼働するときに、前記ソフトウェアコードによって請求項１９に記載の方法のステップが実行される、コンピュータプログラム製品（１０）。
【発明の詳細な説明】
【技術分野】
【０００１】
本発明は、被測定物の測定イメージをキャプチャする為のシステムに関すると共に、被測定物の測定イメージをシステムによってキャプチャする為の方法に関し、更に、対応するコンピュータプログラム製品に関する。
【背景技術】
【０００２】
多くの技術的及び非技術的アプリケーションにおいて、関心対象（ｏｆ  ｉｎｔｅｒｅｓｔ）物体の特性は、その物体の（生物）化学的組成に依存する。表面に近く、また、裸眼では見えない物体の表面又は層上の構造は、特定のスペクトル領域におけるそれらの透過性によって、物体の何らかの特性に影響を与える可能性もある。この為、物体のサイズ、形状及び色の光学的検出又は物体の巨視的（裸眼でも認識可能）表面テクスチャの光学的検出は、そのような特性の満足なアセスメントには適切でない。食料品の鮮度及び未処理状態に関する状態のレンズ検出、事故による破損後の自動車の塗装面の隠蔽修理ばかりでなく、文書、医薬及び高品質テキスタイル偽造の認識が、例として挙げられる。
【０００３】
物体のハイパースペクトルイメージキャプチャは、多くの事例で、取り分け商業的用途及び研究に適用されている。ここで、ハイパースペクトル測定イメージが物体からキャプチャされ、これらは物体のスペクトル反射特性を、空間的に分解された態様で表す。関心対象物体の対応する特性は、これらの測定イメージを元に評価され得る。ハイパースペクトル測定イメージのキャプチャに関して２つの手法が知られている。第１の手法に関して、物体は広帯域光源で照明され、反射光は、狭帯域周波数フィルタ、プリズム又はグレーティングを介してスペクトル構成要素に分離され、スペクトルカメラによって個々にイメージングされる。広帯域均一照明が、大表面にわたり人工的に実現され得る、又は、日光を自然照明として利用できる。第２の手法によれば、この原理は逆転されて広帯域グレースケールカメラがイメージキャプチャに用いられ、物体は狭帯域光源で順次照明される。この変形例は取り分け、研究所又は顕微鏡の分野において小表面の物体で用いられる。例えばスペクトルに従ってソートされたＬＥＤ又はフィルタホイールが次に照明として用いられる。
【０００４】
物体のハイパースペクトル測定イメージをキャプチャする既知の方法の１つの欠点は特に、必要な機器の高コストであり、そのような機器は一般に複合研究所測定機器であり、多くの場合、特定の用途向けに構成され最適化されている。試験される物体の測定イメージがキャプチャされる多くの他の方法も、この欠点を有する。従って、多くの実地の技術的に適切な方法は、特に消費者の分野で経済的に実行可能な態様で実装され得ない。試験される物体の測定イメージをキャプチャする多くの既知の方法の更なる欠点は更に、高い時間経費並びに機器の操作又は方法実行に際して特定の技術的知識が必要であるということである。
【発明の概要】
【発明が解決しようとする課題】
【０００５】
従って、被測定物とも呼ばれる、被験物の測定イメージをキャプチャする為のシステムを提案することが目的であり、そのシステムは可能な限り安価であり、可能な限り操作が単純であり、可能な限りフレキシブルに適用され得る。これにもかかわらず、測定イメージは、関心対象物体の特性の、可能な限り良いアセスメントを可能にするべきである。更に、対応する測定イメージをキャプチャする方法が提案され、前記方法は、可能な限り単純且つ安価に実行されることができ、フレキシブルな態様で適用され得る。最後に、対応するコンピュータプログラム製品も提案され、前記製品は提案システムの内部メモリに直接ロードされることができ、ソフトウェアコードを備え、コンピュータプログラム製品がシステム上で実行されるときに、そのソフトウェアコードによって提案方法のステップが実行される。
【課題を解決するための手段】
【０００６】
この目的は、主請求項に記載のシステム及び他の独立請求項に記載の方法及びコンピュータプログラム製品によって達成される。更なる展開と特定の実施例は、従属請求項、以下の説明及び図面から得られる。
【０００７】
被測定物の測定イメージをキャプチャする為の提案システムはここで、例えばスマートフォン又はタブレットコンピュータ又はその他の（デジタル）コンピュータなどの少なくとも１つのモバイル電子機器を備えている。以後、多くの場合単に「機器」と呼ぶ（少なくとも１つの）モバイル電子機器は（それぞれ）、
−ハウジングと、
−カメラの観測領域内で被測定物の測定イメージをキャプチャする為の、よって、カメラによってキャプチャされた空間領域の測定イメージをキャプチャする為の、ハウジング内に一体化されたカメラと、
−例えば、カメラの観測領域に面したスクリーン上に順次提示されるイメージの形態の所定の照明イメージシーケンスを表示する為に、スクリーン上に提示されるイメージの発光表示の為にハウジング内に一体化されたスクリーンと、
−ハウジング内に一体化され、所定の照明イメージシーケンスの幾つかの異なる照明イメージを順次表示するようにモバイル電子機器のスクリーンを作動させるように構成された制御ユニットであって、モバイル電子機器のカメラを、所定の照明イメージシーケンスの各照明イメージの表示と同時に、被測定物の測定イメージをキャプチャさせるように作動させる、制御ユニットと、を備えている。
【０００８】
被測定物の測定イメージをキャプチャする為の提案される方法は、本明細書で提案システムで実行されることができ、以下のステップを含む：
−制御ユニットによって、所定の照明イメージシーケンスの幾つかの異なる照明イメージを順次表示するようにモバイル電子機器のスクリーンを作動させる、
−モバイル電子機器のカメラを、所定の照明イメージシーケンスの各照明イメージの表示と同時に、被測定物の測定イメージをキャプチャさせるように作動させる。
【０００９】
電子モバイル機器は、機器のハウジングに一体化された少なくとも１つの内部データメモリを典型的に備えている。内部データメモリは典型的に、揮発性又は不揮発性データメモリ又はそれらの組み合わせであり、例えば、ＲＡＭ、ＲＯＭ、ハードディスクドライブ又はソリッドステートドライブ又はそれらの組み合わせである。
【００１０】
提案されるコンピュータプログラム製品は機器の内部データメモリに直接ロードされ得る。コンピュータプログラム製品はソフトウェアコードセクションを備え、コンピュータプログラム製品がモバイル電子機器にロードされて実行される場合に、そのソフトウェアコードセクションによって、少なくとも提案される方法の上記のステップ（及び、場合によっては方法の更なるステップ）が実行される。
【００１１】
コンピュータプログラム製品は例えば、データメモリに記憶されたコンピュータプログラム（「キャリア」）である。データメモリは、例えば、揮発性又は不揮発性データメモリなどのコンピュータハードウェアであり、例えば、言及した機器の内部メモリ又はモバイル電子機器の外部のシステムの更なるデータメモリであり、例えばコンピュータサーバなどのコンピュータのデータメモリ、或いは、例えばインターネット又は（コンピュータ）クラウドなどのコンピュータネットワークの一部である、又はコンピュータネットワーク（例えばインターネット又はクラウド）によって生成されるデータメモリである。コンピュータ又はコンピュータサーバ、コンピュータネットワーク（例えばインターネット又はクラウド）は例えば、システムの更なるコンポーネントであり得る。ＲＡＭ、ＲＯＭ、ハードディスクドライブ又はソリッドステートドライブ又はそれらの組み合わせ、或いはＣＤ、ＤＶＤ又はＵＳＢスティックも、可能な（更なる）データメモリとして想定され得る。
【００１２】
機器は典型的に、例えば少なくとも１つのメインプロセッサ（ＣＰＵ）である少なくとも１つの（デジタル）プロセッサを備え、メインプロセッサ自体が、例えばグラフィックプロセッサである１つ以上の集積ユニット（コプロセッサ）を備え得る。プロセッサは、例えば電子回路の態様で、例えば半導体チップとして実現され得る。上述の機器の制御ユニットは、プロセッサの（論理又は集積）ユニットであり得る。プロセッサは、データメモリにアクセスする為に、特に、内部データメモリにロードされたコンピュータプログラム製品を検索し、又はそのロードされたソフトウェアコードセクションを検索し、続いて方法の上述のステップを（機器の制御ユニットとして）実行する（スクリーンとカメラの同時起動）為に、例えば機器の内部データメモリに接続される。提案される方法のそれぞれのステップは、例えば機器のプロセッサによって実行され得る命令の形態でソフトウェアコードセクションに符号化され得る。これらの命令を実行すると、次にプロセッサは、機器の言及された制御ユニットとして機能する。
【００１３】
提案される方法は、以後詳述する更なるステップを備え得る。機器の制御ユニットは、これらの更なる方法を実行するように構成され得る。従って、コンピュータプログラム製品は、機器のプロセッサによって実行され得る対応する更なる命令が符号化され得る、更なるソフトウェアコードセクションも備えてよい。これらの更なる命令を実行すると、プロセッサは次に例えば言及した機器の制御ユニットとして、又は機器の更なるユニットとして、例えば機器の評価ユニットとして、再び機能する。
【００１４】
代替的に、更なる方法ステップはシステムの別のコンポーネントによって実行され得る。例えば、評価ユニットはモバイル電子機器の外部に配置され得る。従って評価ユニットは、対応して構成されたコンピュータ、例えば、コンピュータネットワークのコンピュータサーバ又はコンピュータのプロセッサの（論理又は集積）ユニットでもあり得る。評価ユニットがシステムの幾つかのコンポーネントに分散され、幾つかのプロセッサの（論理又は集積）ユニットによって、例えば、機器のプロセッサ又は言及したコンピュータ若しくはコンピュータサーバのプロセッサによって形成される混合形態も可能である。
【００１５】
幾つかの実施例では、方法は従って、モバイル電子機器のみを用いて全面的に実施され得る。別の実施形態では、方法は更に、部分的にシステムの別のコンポーネントによって、例えば、１つ以上のコンピュータ（例えばインターネット又はクラウドなど）によっても実行され、機器と他のコンポーネントの間の通信とデータ伝送は、インターネットを介して、又はクラウドを介して行われ得る。
【００１６】
外部メモリシステムへの（例えばクラウドメモリへの）、データ又はアプリケーション関連情報の記憶は、機能上でもセキュリティ関連理由でも必要ないが、本明細書に記載の概念に相反するものでもない。例えば、モバイル機器の内部データメモリへの何らかのデータの記憶が何らかの理由により可能でない場合、例えば、大量データにより、ライセンス理由及び／又はセキュリティ上の理由により可能でない場合に、外部データメモリの使用が想定され得る。
【００１７】
モバイル機器によるデータの、主に又はローカル専用の処理及び／又は記憶は、一般的に提供される、又は例えば以下の特定の場合に提供される：
（１）モバイル機器から外部サーバ／メモリに伝送（転送）されるデータ量を低減する為、
（２）それぞれの測定場所でのモバイルデータ接続の帯域幅が不十分である、又は欠如している場合（例えば、農場地又は鋼コンクリートビル）、及び、
（３）特にモバイル機器にＧＰＳが装備されている場合に、例えば被測定物、測定位置又はユーザ自身の位置に関連し得る極秘データが与えられた場合。例えば、秘密の物体又は秘密の化学表面組成の測定、並びに例えば、或る位置がそれぞれの被測定物を記憶するように働く場合、又は測定又は測定データの位置が、例えばユーザの健康状態、ユーザの住い、ユーザの消費者挙動などの、ユーザへの望ましくない推論を容認する可能性がある場合の、秘密に保持される位置での測定が例として挙げられる。
【００１８】
例えば、モバイル機器の制御ユニット、及び／又は、存在する場合、モバイル機器の評価ユニットは、一般に、又は少なくとも規定されたアプリケーションにおいて、測定データの評価を完全に自身で実行し、発生する全データを内部データメモリのみに記憶するように構成され得る。制御ユニットは更に、測定データ及び／又はそこから導出されたデータ（特にＧＰＳデータ）の、外部機器への転送を回避又はブロックするように構成され得る。更に、システムの機能性は、ＧＰＳデータに基づいて制御、統制又は完全にブロックされ得る。
【００１９】
以下のテキスト及び請求項において、制御ユニット又は評価ユニットが、更なる操作を実行するように「構成されている」と記載された場合はいつでも、これらの操作は、提案される方法の可能な（随意の）ステップとしても理解される。従って、コンピュータプログラム製品はソフトウェアコードセクションを備えてよく、ソフトウェアコードセクションでは、これらの更なる操作を実行する為の命令が、例えば機器のプロセッサ又はシステムの別のコンポーネントのプロセッサによって実行される為に符号化されている。逆に、コンポーネントで「構成される」は、以後、記載された場合はいつでも、方法ステップが、システムの対応するコンポーネント、例えば制御ユニット、評価ユニット又は他のコンポーネントによって実行され得るということを暗示する。その場合この「構成される」ということは、相応に設計されたコンピュータプログラム製品を、機器に、又はシステムの言及した更なるコンピュータにロードすることによって可能にされ得る。
【００２０】
所定の照明イメージシーケンスは照明パラメータによって、典型的に部分的に、又は好ましくは完全に規定される。照明パラメータの特定の例を以下に説明する。照明パラメータは典型的に、システムの少なくとも１つのデータメモリに記憶される、例えば、モバイル電子機器の内部データメモリに、及び／又はシステムの別のコンポーネント、例えば言及したコンピュータのデータメモリに記憶される。例えば、機器の内部メモリへの照明パラメータの自動記憶は、機器へのコンピュータプログラム製品のローディングによって行われ得る。例えば、コンピュータプログラム製品のソフトウェアコードは、照明パラメータの定義及び／又は値を含み得る。モバイル電子機器の制御ユニットは、少なくとも１つのデータメモリに記憶されている照明パラメータをデータメモリから検索して、所定の照明イメージシーケンスを、検索された照明パラメータに基づいて決定するように構成され得る。典型的に、その後初めて制御ユニットは、このように決定された所定の照明イメージシーケンスの照明イメージを表示するようにスクリーンを作動させ、これと同時に、測定イメージをキャプチャするようにカメラを作動させる。
【００２１】
モバイル電子機器はユーザインターフェースを備えてよく、ユーザインターフェースの補助によって、機器は、例えば、提案される方法を実行する為に操作され得る。例えば、所定の照明イメージシーケンスは、例えばユーザインターフェースを介して照明パラメータのうち少なくとも１つを調整又は変更することによって調整又は少なくとも影響され得る。付加的に、又は代替的に、異なる（記憶された）所定の照明イメージシーケンス間での選択は、ユーザインターフェースによって可能にされることができ、照明イメージシーケンスは、例えば１つ以上の照明パラメータによって互いに異なっている。付加的に、又は代替的に、検査対象の被測定物のタイプが、ユーザインターフェースによって入力されることも更に可能である。そのような入力とは別に、更なる入力、例えば、関心対象であるそれぞれ選択された被測定物の特性の選択が、ユーザインターフェースによって可能にされ得る。照明イメージシーケンスの定義とは別に、測定イメージの後続の評価は、ユーザインターフェースを介したそのような入力にも依存し得る。例えば、入力は更に、以下に更に説明するように、システムの評価ユニットによって考慮に入れられ得る。
【００２２】
例えば、所定の幾つかの測定されたイメージのうち１つをそれぞれ定義し、上述のように、言及したデータメモリのうち１つ以上に記憶された、幾つかの異なる照明イメージシーケンス又は幾つかの異なる所定セットの照明パラメータを想定することができる。異なる所定の照明イメージシーケンス又は照明パラメータセットは例えば、幾つかの異なる所定（測定）アプリケーションのうち１つに割り当てられ得る（例えば、それぞれの被測定物、関心対象特性及び／又は推奨行動によって定義される）。（異なるアプリケーションの例については以下に詳述する）。例えば、ユーザが特定のアプリケーションを（例えばモバイル機器のユーザインターフェースを介して）選択して（例えばユーザインターフェースによって表示される少なくとも１つのアプリケーションリストから）、続いて制御ユニットが、データメモリから、選択されたアプリケーションに属する所定の照明イメージシーケンス（又は照明パラメータ）を、選択されたアプリケーションに依存して読み出し、続いて、説明したように、読み出された照明イメージシーケンス（又は読み出された照明パラメータ）での測定を実行することを想定してもよい。付加的に、又は代替的に、測定イメージの評価が、選択されたアプリケーションに依存するということも可能である。  
【００２３】
スクリーンはタッチスクリーンとして設計されることができ、従って、例えば、タッチスクリーン上に提示される入力フィールドを備えたグラフィックユーザ表面の表示を介して、機器の言及したユーザインターフェースとして働く。
【００２４】
ユーザインターフェースは更に、周囲光の影響が甚大すぎると評価された場合、或いは、測定イメージの実施されたイメージレジストレーション又は物体認識が、例えば物体の特性又はユーザの挙動によって上手く実行され得ないと評価された場合に警報を出力するように構成され得る。
【００２５】
ユーザインターフェースは、例えば、言及した警報を生成できる機器の音響出力を備え得る。ユーザインターフェースは、例えば、言及した警報を生成できる機器の振動モジュールを備え得る。例えば、スマートウォッチやヘッドマウントディスプレイなどのディスプレイを備えた更なる通信機器によって更なるユーザインターフェースが実現され得る。存在する限り、様々なモジュールが、本明細書において組み合わせて用いられ得る。
【００２６】
機器の少なくとも１つの内部データメモリ、又は、例えば言及した更なるコンピュータの外部データメモリは、キャプチャされた測定イメージの（中間）記憶用に働き得る。従って、制御ユニットは、キャプチャされた測定イメージの、この少なくとも１つのデータメモリへの転送を実行又は開始するように構成され得る。
【００２７】
更に、制御ユニットは、例えば、測定イメージのキャプチャ後に自動的に、キャプチャされた測定イメージを表示するようにスクリーンを作動させるように構成され得る。例えば、測定結果は、測定中又は測定直後に機器のスクリーンに表示されることができ、例えば、キャプチャされた被測定物のイメージ又はカメラの瞬間的ライブイメージは、こうして例えば現実拡張技法を実施する為にスクリーンに重畳され得る。
【００２８】
例えば、例えばｉＯＳ、アンドロイド、ウィンドウズ（登録商標）、リナックス（登録商標）、ブラックベリーＯＳなどの機器のオペレーティングシステム、又は他のオペレーティングシステム、並びに例えばインターネットブラウザ及び／又はアップルストアアプリケーションなどの典型的な更なるアプリケーションプログラムが、機器の少なくとも１つの内部データメモリにインストールされ得る。アップルストアへの機器の（インターネット）接続、即ち、例えば、アップルのアップルストアやグーグルのプレイスストアなどのアプリケーションソフトウェア用のインターネットベースのデジタルマーケティングプラットフォームは、アップルストアアプリケーションを介して作成され得る。一実施例では、コンピュータプログラム製品は、このアップルストアアプリケーションを介して機器の内部データメモリにアプリ（ａｐｐ）としてロードされることができ、そこに例えば恒久的に記憶される（例えば、ユーザによって開始及び／又は確認される削除手順まで）。更なる可能性は、対応するオペレーティングシステムによってブロックされない限り、コンピュータプログラム製品又はアプリを機器に、特にスマートフォンに直接（例えばＵＳＢケーブルによって）にコピーすることである。更なる実施例では、コンピュータプログラム製品は、機器のインターネットブラウザを介してプロバイダーのインターネットページからウェブアプリとして機器の内部メモリにロードされ得る。ウェブアプリは例えば、一時的に（例えば所定期間、又は方法の所定回数の実施のみ）内部メモリに記憶され、その後機器の内部メモリから自動的に消去される。しかしながら、全ての場合において、コンピュータプログラム製品は機器上で動作することができ、ユーザによって、好ましくは機器の内部メモリにロードされた直後に、方法を実行する為に使用され得る。
【００２９】
機器は、機器を例えばインターネットに接続する為、又はシステムの可能な更なるコンポーネントに接続する為、例えばインターネットを介して例えば１つ以上のコンピュータサーバに接続する為に、例えば少なくとも１つのラジオインターフェースなどの、１つ以上のケーブル接続された、又は好ましくは無線データインターフェースを備えている。
【００３０】
モバイル（携帯式）電子機器は、両手又は好ましくは片手のみで、被測定物に対して適切な位置に位置合わせされて、ユーザによって（特に、上述の方法ステップ中に、即ち、照明イメージの表示及び測定イメージのキャプチャ中に）快適に保持される為に、可能な限り軽量である。従って機器の重量は好ましくは３ｋｇ未満、２ｋｇ未満又は１ｋｇ未満である。ハウジングの最大エッジ長さは典型的に３０ｃｍ以下、典型的には２５ｃｍ未満又は２０ｃｍ未満である。例えば、ハウジングは本質的に直方体状に設計され得る。最小エッジ長さは典型的に５ｃｍ未満、好ましくは２ｃｍ未満である。
【００３１】
カメラは一般に、ケーシングの正面側に配置されてカメラの観測領域を画定するレンズを備えている。その場合スクリーンも同様にハウジングの正面側に配置されている。カメラ（少なくともカメラの対物レンズ）とスクリーンは典型的にハウジングの同じ側、つまり、ハウジングの同じ側から見える側に配置されている。カメラは典型的に更に、例えばＣＣＤ又はＣＭＯＳセンサ又はＩｎＧａＡｓセンサなどの例えば感光性半導体チップなどのイメージセンサを備えている。
【００３２】
機器は更に、例えば内部メモリにインストールされた電話アプリケーションによって、モバイルラジオ電話ネットワークを介した、又はインターネットを介した電話の会話を可能にする為にラウドスピーカー又はマイクロフォンを備え得る。機器は更に、機器、特に機器のスクリーン、カメラ及び制御ユニットに電気エネルギーを供給する為の（充電式）エネルギー蓄積部を備えている。
【００３３】
システムによる方法を実行するにあたり、機器のスクリーンは照明イメージの表示中に発光する。カメラの観測領域内に配置された被測定物はこうして、スクリーンがカメラの観測領域に面しているという事実によって、スクリーンによって照明され得る。照明すると、照明イメージを表示することで発せられたスクリーンからの光は、被測定物に達し、被測定物で反射してカメラによってキャプチャされる。ここで、反射光は典型的にカメラのレンズを通過してカメラに入り、カメラのイメージセンサ上にイメージングされる。
【００３４】
カメラのイメージセンサは典型的に、全体グリッドに配置された多数のセンサユニットを備えている。センサユニットそれぞれはイメージセンサの１つ以上のセンサ素子を備え得る。例えば、各センサユニットは、カメラによってキャプチャされる測定イメージの像点（ピクセル）に対応する。センサユニットと、イメージセンサ内でのそれらのセンサ素子との位置は、それぞれのセンサユニットの２つのセンサ座標（ＸＹ）によって定義される。
【００３５】
従って測定イメージそれぞれは同様に、多数の像点（ピクセル）を備え、像点（ピクセル）は全体グリッドに配置され、イメージセンサのセンサユニットに割り当てられ、それぞれの測定イメージ内の位置が、それぞれのセンサユニットのセンサ座標に典型的に対応する２つのイメージ座標（ＸＹ）によって定義される。測定イメージは更に、イメージ情報が符号化されたイメージデータを備えている。例えば、測定イメージのそれぞれの像点の輝度値がイメージデータに符号化される。測定イメージの像点の輝度値は典型的に、それぞれの測定イメージをキャプチャしたときのセンサユニットの感光センサ素子の充電又は放電状態に典型的に依存する。
【００３６】
異なる測定イメージは、照明イメージにおける差による被測定物に関する異なる情報を含む。例えば、照明イメージは、表示されたときにスクリーンによって発せられる光のスペクトル組成によって互いに異なり得る。代替的に又は付加的に、被測定物が、カメラから見て異なる方向から照明されるように、照明イメージがスクリーンの異なる領域に配置されることが可能である。
【００３７】
従って、有利なことにそれぞれキャプチャされた測定イメージから、被測定物の、反射特性又は他の特性に関する異なる情報を得ることが可能である。更に、測定イメージの情報内容は、照明イメージシーケンスを変更することによって非常に単純に影響される。
【００３８】
更なる重要な利点は、モバイル電子機器が、例えば、スマートフォン、タブレットコンピュータ（タブレット）、ラップトップ又は同様に広く普及したモバイル電子機器であり得るという事実にある。有利なことに、ユーザ／消費者が、提案される方法を実行する為のそのような市販の機器を非常に簡単に構成することができ、例えば、上述のようにアップルストアから、又はコンピュータプログラム製品のプロバイダーのウェブサイトから推奨コンピュータプログラム製品を機器にロードすることによって行われる。従って、システム及び方法は、多くの従来型測定機器と比べて非常に安価であり、照明イメージシーケンスと、以下に説明するようなモバイル機器に一体化されるデータ評価の為の評価ユニットとを介して非常に可変な態様に構成可能であり、更に、多くのユーザにとって直感的な方式で適用又は実行され得る。既知のシステムに対する更なる利点は、分散光学効果を生成する為にも、照明の及び／又はイメージキャプチャの特定のパラメータの制御の為にも、更なる（外部）光学的ハードウェアを追加導入する必要がないという事実である。従って、ここで説明する方法は、機器に更なる光学又は電子コンポーネントを追加導入せずに有利に実行され得る。特に、本方法は、モバイル機器に、例えばフィルタ、レンズ、ミラー、絞り、スクリーン、光源、センサなどの付加的なコンポーネントを追加導入することを要さず、方法の実行中にモバイル機器と被測定物の間にそのようなコンポーネントを配置することも要さない。
【００３９】
測定イメージをキャプチャする前に、カメラがオフにされるか、又は動作停止されることで自動的に実行され得る前処理ステップを想定してもよい。例えば、キャプチャされたイメージの色温度の調整を想定してもよいが、色温度の調整は、カメラがオフにされるか、又は、色温度が例えば固定値に設定され次に測定イメージを評価するときに考慮されることで、自動的に実行される。これはそれぞれ、感度、露出時間及びホワイトバランスなどのカメラの他のキャプチャ／記録パラメータの自動調整に適用する。
【００４０】
従って、スクリーンの自動輝度調整（制御ユニットによる）がオフにされ、照明が例えば最高可能輝度に設定されることを想定できる。
【００４１】
モバイル電子機器のスクリーンは一般に、主に可視スペクトル領域内に、又は可視スペクトル領域内に限定して、即ち４００ｎｍ〜約８００ｎｍの波長の光を発する。スクリーンは典型的にカラースクリーンであり、従って、カラーイメージを表示するように構成される。スクリーンは例えば幾つかのカラーチャネルを備え得る。スクリーンはチャネル固有のスペクトル発光特性を有し、それは以後、カラーチャネルそれぞれにおいてＤｄ（λ）と表示される。従って、カラーチャネルで発光された光は、このカラーチャネルで予め定義されたスペクトル強度分布を有し、スクリーンで提示され得るスクリーンの基本色に対応する。例えば、スクリーンは赤色カラーチャネル、青色カラーチャネル及び緑色カラーチャネルを備え得る。因ってカラーチャネルの色、従って例えば赤色、緑色及び青色は、スクリーンの基本色を表す。スクリーンとカメラは典型的に人間の視覚系に適合されている。約４８５ｍｎまでの波長の可視光は青色として知覚され、約５００ｎｍ〜約５５０ｎｍの波長の可視光は緑色として、約６３０ｎｍの波長の可視光は赤色として知覚される。従って、赤色カラーチャネルは（主に）赤色波長領域で発光し、緑色チャネルは（主に）緑色波長領域で発光し、スクリーン光の青色カラーチャネルは（主に）緑色波長領域で発光する。
【００４２】
スクリーンは典型的に、スクリーンの全体グリッド内に配置され、スクリーンの像点（ピクセル）を形成し、スクリーンの全イメージ領域を合同で満たす複数の光学素子を備えている。するとカラーチャネルそれぞれはスクリーンの光学素子のサブセットによって形成され、前記光学素子のスペクトル発光特性は、それぞれのカラーチャネルのチャネル固有のスペクトル発光特性に対応する。スクリーンの各像点は例えば、異なるカラーチャネルに属する一組の隣接する光学素子によって形成される。共通の像点に属する異なるカラーチャネルの光学素子はスクリーンのサブピクセルとも呼ばれる。各カラーチャネルの光素子はそれぞれグリッドに配置される。カラーチャネルのグリッドは互いに空間的に重畳され、従ってスクリーンの像点の全体グリッドを形成する。
【００４３】
モバイル電子機器のカメラは典型的にカラーカメラであり、それは故に約４００ｎｍ〜約８００ｎｍの波長での光に感応し、幾つかの異なるカラーチャネルを備えている。カメラは典型的に、カラーチャネルそれぞれに関してチャネル固有の感度を含み、前記感度は以後Ｃｃ（λ）とも表示される。例えば、カメラは赤色カラーチャネル、青色カラーチャネル及び緑色カラーチャネルを有し得る。多くの場合、対になったカメラのカラーチャネルの波長領域がスクリーンのカラーチャネルに大部分（典型的に大部分、しかし完全にではなく）対応する。
【００４４】
カメラのカラーチャネルそれぞれは、イメージセンサのセンサ素子のサブセットによって形成され、そのスペクトル感度はカメラのそれぞれのカラーチャネルのチャネル固有のスペクトル感度に対応する。カメラのイメージセンサの各センサユニットは、例えば、カメラの異なるカラーチャネルに属するイメージセンサの一組の隣接するカラーチャネルによって形成される。従って各カラーチャネルのセンサ素子はそれぞれ、イメージセンサに渡って延在するサブグリッドに配置されている。異なるカラーチャネルのセンサ素子のサブグリッドは互いに空間的に重畳し、それによってイメージセンサのセンサユニットの全体グリッドを形成する。例えば、赤色カラーチャネルのセンサ素子は赤色光に最も感応し、緑色カラーチャネルのセンサ素子は緑色光に最も感応し、青色カラーチャネルのセンサ素子は青色光に最も感応する。赤色光は例えば約６０５ｎｍ以上の波長を有し、緑色光は約５５５ｎｍの波長、青色光は約４５０ｎｍ以上の波長を有する。異なる色に関する波長領域の更なる例は上記に記載されている。
【００４５】
例えば、モバイル電子機器の制御ユニットは、以下によって、所定の照明イメージシーケンスの照明イメージのうち１つ以上又はそれぞれを表示するようにモバイル電子機器のスクリーンを作動させるように構成される：
−スクリーンの単一のカラーチャネルのみの光学素子を作動させることによって、また、このカラーチャネルの全ての作動された光学素子を、このカラーチャネルに関して予め定められた均一な輝度値で作動させることによって、又は、
−幾つかのカラーチャネルの光学素子を作動させることによって、また、全ての作動された光学素子を、それぞれのカラーチャネルに関して予め定められた均一な輝度値で作動させることによって、又は、
−上述の均一な輝度値を勾配と置き換えることによって。均一な輝度値で作動される代わりに、所与のカラーチャネルの作動された光学素子は、例えばこのカラーチャネルに関して規定された勾配に従って互いに異なっている異なる輝度値で作動され得る。それぞれのカラーチャネルの勾配は例えば、全スクリーンにわたり例えば均一であり得る（即ち、一定である）予め定められたベクトルであり得る。すると、このカラーチャネルの光学素子の輝度値は、勾配ベクトルの大きさに従って、勾配ベクトルの方向に沿って均一に増加する（又は代替的に均一に減少する）。
【００４６】
カラーチャネルの光学素子の作動は、例えばこれらの光学素子をオンにすることによって、又は、光学素子の最小可能輝度値よりも大きな均一な輝度値で作動させることによって行われ得る。作動された光学素子によって、被測定物の可能な限り明るい照明を達成する為に、それぞれの均一な輝度値は好ましくは、光学素子の最大可能輝度値に対応する。
【００４７】
従って、残りのカラーチャネルのそれぞれの作動されていない光学素子は、オフにされて、オフのままを保つか、又はそれぞれ最小可能輝度値で作動され得る。
【００４８】
均一な輝度値での作動は、それぞれの照明イメージが均一な色を有することを可能にし、それによってスクリーンの各像点がこの均一な色で照明することを可能にするか、又は、照明イメージがスクリーン全体をフィルしない、例えば、このスクリーンのイメージ領域全体をフィルしない場合、オフにされるか、又は最小可能輝度のみで照明する。こうして、被測定物は、スクリーンによって、均質な態様で、予め定められたスペクトル強度分布の光で空間的に照明され得る。
【００４９】
例えば、スクリーンの単一のカラーチャネルのみが作動された場合、スクリーンはスクリーンのそれぞれの基本色、例えば、赤色、緑色又は青色で均一に照明する。例えば、照明シーケンスは、赤色照明イメージ、緑色照明イメージ及び青色照明イメージ、又はこれらの照明イメージのうち１つか２つのみを包含し得る。制御ユニットは例えば、スクリーンを以下のように作動させるように構成される：
−スクリーンの赤色カラーチャネルのみの光学素子を作動させ、赤色カラーチャネルの全ての作動された光学素子を、赤色カラーチャネルに関して予め定められた均一な輝度値で作動させることによって赤色照明イメージを表示する、
−スクリーンの緑色カラーチャネルのみの光学素子を作動させ、緑色カラーチャネルの全ての作動された光学素子を、緑色カラーチャネルに関して予め定められた均一な輝度値で作動させることによって緑色照明イメージを表示する、及び／又は、
−スクリーンの青色カラーチャネルのみの光学素子を作動させ、青色カラーチャネルの全ての作動された光学素子を、青色カラーチャネルに関して予め定められた均一な輝度値で作動させることによって青色照明イメージを表示する。照明イメージのシーケンスは任意であり得る。
【００５０】
幾つかのカラーチャネルを作動させることによってスクリーンの基本色の均一な混合がもたらされ得る。照明イメージのうち１つは例えば白色照明イメージであり得るが（以後白色イメージとも呼ぶ）、それに関してスクリーンの全光学素子が作動されると共に、最大可能輝度値で作動される。更なる照明イメージは例えば黒色照明イメージであり得るが（以後黒色イメージとも呼ぶ）、それに関してスクリーンの全光学素子がオフにされるか、動作停止されるか、又は、最小可能輝度値で作動される。白色照明イメージと黒色照明イメージは例えば、残りの測定イメージを較正する為、及び周囲光の影響を推定する為に用いられ得る。周囲光の影響を考慮する為に或る最大及び最小輝度に基づく較正は、例えば線形関数（シフティングとスケーリング）によって達成され得る。較正は、例えば、イメージ内の暗領域を強調する為に、又はイメージ内の明領域を低減する為に、非線形関数によっても達成され得る。
【００５１】
照明イメージを規定する為に、以下の照明パラメータのうち１つ以上が例えば用いられ得る：
−それぞれの照明イメージを表示するとスクリーンによって発光される光のスペクトル組成、及び／又は、
−スクリーンの各カラーチャネルに関して、均一な輝度値及び／又は、
−それぞれの照明イメージでフィルアウトされるスクリーン領域、特に、スクリーン領域のサイズ及び形状、及び／又は、
−スクリーンの全イメージ領域内で、それぞれの照明イメージによってフィルアウトされるスクリーン領域の配置。
【００５２】
照明イメージそれぞれは典型的に連続している。例えば、照明イメージのうち１つ、幾つか、又はそれぞれが、スクリーンの全イメージ領域を完全にフィルアウトしてもよい。しかしながら、照明イメージのうち１つ、２つ以上又はそれぞれが、スクリーンの全イメージ領域の一部の領域のみを満たすことも可能であり、スクリーンは典型的に、照明イメージによってフィルアウトされる一部領域の外部では黒色である（即ち、光学素子はオフにされるか又は作動されず、照明しないか又は最小可能輝度のみで照明する）。照明イメージによってそれぞれフィルアウトされるスクリーン領域は、スクリーンの全イメージ領域の例えば少なくとも１／６、１／５、１／４、１／３、１／２又はそれ以上に対応する。例えば、照明イメージシーケンスはスクリーンの全イメージ領域の概ね１／ＲのみをそれぞれフィルアウトするＲ照明イメージを備えてよく、Ｒは典型的に２より大きい自然数であり、例えば、２０未満である。典型的にＲは３〜１０の間にある。例えば、Ｒ＝３、４、５又は６である。典型的に、照明イメージのそれぞれフィルアウトされた部分領域は、スクリーン上で互いに重複しない。
【００５３】
照明イメージのフィルアウトされた部分領域は、スクリーンの全イメージ領域内の同じ位置に配置され得る。しかしながらその場合照明イメージは、典型的に、少なくともその色において互いに異なっている。代替的に、照明イメージがその色において異なっているばかりでなく、スクリーン上へのその配置において異なっていることも可能である。更に、照明イメージがその色では異ならないが、スクリーン上へのその配置のみが異なっていることも可能である。
【００５４】
例えば、照明イメージのそれぞれ個々のイメージ内容は、単色態様でフィルアウトされた領域（典型的に、言及した部分領域を完全にフィルアウトする領域）であり得、その色は例えば、上述したように、スクリーンの基本色（例えば、赤色、緑色又は青色）又は白色のうち１つ（全カラーチャネルが同じ、好ましくは最大輝度を有する）である。
【００５５】
照明イメージが同色を有し、それらのスクリーン上での位置のみが異なる場合、照明イメージは典型的に、単色態様でフィルアウトされる領域（それぞれの部分領域を完全にフィルアウトする）であり、色は例えばいずれの場合にもスクリーンの同じ基本色（例えば、赤色、緑色又は青色）又は白色である（全カラーチャネルが同じ、好ましくは最大輝度を有する）。
【００５６】
例えば、スクリーンの全イメージ領域は、上縁、下縁、左縁及び右縁を備えてよく、照明イメージのフィルアウトされた部分領域は、スクリーンの全イメージ領域の上縁からのそれらの距離が互いに異なっており、レンズはスクリーンの全イメージ領域の上縁の上方に配置されている。
【００５７】
例えば、照明イメージシーケンスは、以下の更なる照明パラメータのうち１つ又はいくつかによって規定され得る：
−照明イメージの総数
−照明イメージのシーケンス
−照明イメージの表示持続時間
−個々の照明イメージの表示間の時間間隔
【００５８】
照明イメージの総数は例えば、カメラとスクリーンのカラーチャネルの個数から得られる。例えば、後者が両方とも互いに対応する３カラーチャネル（例えば赤色、緑色及び青色）を有している場合、照明イメージシーケンスは、少なくとも３つの照明イメージを備えてよく、各カラーチャネル（赤色、緑色及び青色）向けに特定的に１つずつがある。付加的に、照明イメージシーケンスは上記の白色イメージと黒色イメージを備えてよく、その場合結果として、照明イメージシーケンスは例えば（少なくとも）５つの照明イメージを備える。シーケンスは例えば任意の方式に設定され得る。表示持続時間は、少なくとも、イメージセンサが、測定イメージをキャプチャしながら適切に照明されるに十分な程長く選択されなければならない。表示持続時間は典型的に、１０ｍｓ〜５００ｍｓの範囲、好ましくは１００ｍｓ〜２００ｍｓの範囲にある。照明イメージは典型的に時間的に連続した方式で表示され、同時には表示されない。個々の照明イメージの表示の間の時間間隔は典型的に１ｍｓ〜２０ｍｓの間の範囲、好ましくは５ｍｓから１０ｍｓの間の範囲にある。従って、測定イメージをキャプチャする為の総持続時間は典型的に６０ｍｓ〜３０００ｍｓの範囲にある。
【００５９】
記録された測定イメージそれぞれは、多数の像点並びに、それぞれの像点に割り当てられたイメージデータを備えている。上述のように、システムは評価ユニットを備えることができ、評価ユニットは、機器の一部（例えば機器のプロセッサの論理又は集積ユニットとして）、又はシステムの別のコンポーネント（例えばこのそれぞれのコンポーネントの論理又は集積ユニット）の一部、例えばコンピュータサーバの一部であり得る。
【００６０】
例えば、評価ユニットは、例えばコンピュータプログラム製品によって、測定イメージの諸像点をマージして、マージされた像点のイメージデータを、それぞれマージされた像点の測定データセットにグループ化するように構成される。像点のマージ処理は、典型的に測定イメージのイメージレジストレーションによって行われる。するとマージされた像点は単一のレジスタされた測定イメージを形成し、レジスタされた測定イメージの像点はそれぞれ割り当てられた測定データセットを含む。
【００６１】
記録されたイメージデータの更なる処理は、好ましくはこれらの測定データセットを用いて行われる。個々の測定イメージの個々の順次評価の代わりに、評価は全測定イメージにわたり行われることができ、また記述した測定データセットの使用によって全測定イメージに関して同時に行われ得る。測定イメージのイメージデータから得られる測定データセットは、測定イメージ内の共通の配置位置にそれぞれ割り当てられ、照明イメージシーケンス中にキャプチャされた測定イメージのうち一部又は全部の測定データを含む、例えば（ハイパー）スペクトルデータセット（更に以下ではスペクトル指紋とも呼ぶ）を表す。提案される測定データセットの使用によって（マージされた像点の測定データセットがそれぞれ個別に処理されることによって）測定データを空間分解方式で処理することが可能である。ここで、各測定データセットは、他の測定データセットから独立しており、測定されたデータセットによってそれぞれイメージングされる物体領域内の物体の局所的特性に依存する測定として理解され得る。カメラの解像度に依存した、測定データセットのうち１つによってそれぞれ提示される多数の個別の測定がこうして、提案される測定方法の一度限りの実施によってもたらされる。各測定で生じるデータセットが多数である為、測定データセットは特に、例えば分類方法、例えば人工ニューラルネットワークなどの機械学習の訓練アルゴリズム用の学習データとして適している。従って、測定データセットはそのようなアルゴリズムによる評価に丁度よく適している。評価ユニットは好ましくは、例えば分類方法、例えば人工ニューラルネットワークなどの機械学習の方法によって訓練されるか訓練可能であるアルゴリズムによって測定データセットを評価するように構成される。測定データセットのデータフォーマットも、照明イメージシーケンスが予め定められているという事実により、対応する方式で予め定められている。特に、照明イメージシーケンスの定義により、測定データセットのどのコンポーネントがどの照明イメージに属するか（因って例えばどの波長領域に属するか）を事前に決定できる。そのような決まった割り当ては、特定のデータフォーマットを処理する為に典型的に特定のデータフォーマットを要する、又はプログラムされている予め定められた評価アルゴリズム又は較正モデルによって測定データセットの更なる処理を簡略化する。
【００６２】
典型的に、測定イメージのイメージ変換、例えば（局所的）座標変換（回転、並進移動、傾斜及び／又は（局所的）リスケーリング、サブピクセル補間）が、測定イメージのキャプチャ中に、機器と被測定物の間の相対移動を補償又は差し引く為に、測定イメージのイメージレジストレーションが必要である。理想的な場合には、測定イメージの像点間に１：１対応が存在するが、典型的には１：Ｘ対応であり、Ｘ≠１である。Ｘ≠１である場合、マージされた像点の測定値は典型的に、測定データセットを決定する為に補間又は平均化される。
【００６３】
例えば、物体認識アルゴリズムが、測定イメージに基づいて、好ましくはレジスタされた測定イメージに基づいて、測定イメージ内の、又は被測定物をイメージングするレジスタされた測定イメージ内のこれらの像点を認識する為に実行され得る。これらの像点は以後、物体像点と呼ばれる。これらの認識された物体像点それぞれは、測定イメージ内又はレジスタされた測定イメージ内の物体の表面上の部分領域をイメージングする。これらの部分領域は以後、物点と呼ばれる。例えば、物体認識アルゴリズムは「領域成長」アルゴリズムを備え得る。第１の像点はこのアルゴリズムの開始時に定義され、その像点では物体像点であると仮定される。例えば、測定イメージのうち１つの、又は、レジスタされた測定イメージのうち１つの中間の像点は第１の像点として定義され得る。代替的に、第１の像点はユーザによってユーザインターフェースを介して、例えば、スクリーンで表示された測定イメージ上の領域をマークすることによって、又は、特にスクリーンがタッチスクリーンとして設計されている場合に、表示されたレジスタされた測定イメージをマークすることによっても定義され得る。次に、隣接する像点の測定データセットが、第１の像点の測定データセットとどの程度大きく異なるかに関して調査する。隣接する像点も同様に物体像点として分類されることで、適度に低い偏差のみが与えられる。このアルゴリズム（それぞれ新規として分類された物点から開始して）は、更なる像点が物点として分類されなくなるまで繰り返されか反復される。
【００６４】
スクリーンとカメラが幾つかのカラーチャネルを有し、照明イメージがその色において異なっていれば、上述のように、測定データセットそれぞれは、被測定物の関連する物点における被測定物の所謂「スペクトル指紋」であり得る。スクリーンが例えばＭ個のカラーチャネルを有しカメラが例えばＮ個のカラーチャネルを有する場合、測定データセットそれぞれはＭ×Ｎ個又はそれ以上の測定値を備え得る。例えば、照明イメージはスクリーンの各カラーチャネルに関して表示されることができ、これらの照明イメージそれぞれに関して測定イメージがキャプチャされ、カメラの個々のカラーチャネルにおいて測定された輝度値は、測定データセットに、個々の測定値として含まれる。物点の測定データセットの（第１の）Ｍ×Ｎ測定値はここで、例えば、カメラのカラーチャネルとのスクリーンのカラーチャネルの異なる可能な組み合わせに対応する。例えば、カメラとスクリーンがそれぞれ赤色、緑色及び青色のカラーチャネルを備える場合、Ｍ＝３でＮ＝３であり得る。上述の白色イメージと黒色イメージが付加的に表示され、各場合に測定イメージがキャプチャされる場合、各測定データセットは（Ｍ＋２）×Ｎ測定値を備え得る。
【００６５】
カメラとスクリーンがそれぞれ幾つかのカラーチャネルを備えている場合、被測定物の物点又はその物体像点に属する測定データセットは、以後Ｆ（ｄ，ｃ）とも呼ばれる。指数ｄは照明イメージの色（又はスクリーンのカラーチャネル）を記述し、例えば数値的に定義されることができ、上記の例によれば、例えば、１≦ｄ≦Ｍ又は１≦ｄ≦Ｍ＋２を満たし、例えばＭ＝３である。代替的に、指数ｄは対応する文字によって定義されることもでき、上記の例によれば、例えばｄ＝｛ｒ，ｇ，ｂ｝又はｄ＝｛ｒ，ｇ，ｂ，ｗ，ｓ｝を満たし、ｒ、ｇ、ｂはスクリーンの赤色、緑色及び青色カラーチャネルを、又は各赤色、緑色及び青色照明イメージをそれぞれ表し、ｗは白色イメージを、ｓは黒色イメージを表す。従って、カメラのカラーチャネルを表す指数ｃもまた、数値的に定義されることができ、上記の例によれば、例えば、１≦ｃ≦Ｎを満たし、例えばＮ＝３である。代替的に、指数ｃは対応する文字によって定義されることができ、上記の例によれば、例えばｃ＝｛ｒ，ｇ，ｂ｝を満たし、ｒ、ｇ、ｂはそれぞれカメラの赤色、緑色及び青色カラーチャネルを表す。例えば、測定データセットに含まれる測定データは、表の形式で提示され得る。ｄ＝｛ｒ，ｇ，ｂ，ｗ，ｓ｝及びｃ＝｛ｒ，ｇ，ｂ｝は例えば以下である。
【００６６】
【表１】
2020507103.tif 000003
【００６７】
例えば、Ｆ（ｄ，ｃ）は、被測定物のそれぞれの物点に関する輝度値を含み、前記輝度値は、カメラのカラーチャネルｃのセンサ素子による基本色ｄの照明イメージでの照明中で測定されている。
【００６８】
しかしながら、個々の像点の測定データセットは色情報のない総輝度値でもあり得る。例えば、測定データセットは所謂「光沢測定ベクトル」であり得、それは以後Ｇ（ａ）とも呼ばれ、指数ａは照明イメージシーケンスの個々の照明イメージを表す。
【００６９】
例えば、上述のように、Ｒ照明イメージが提供されることができ、これらは、上述のように、それぞれ総スクリーン領域の１／Ｒをカバーし、典型的に互いに重複しない。それらはスクリーン上の位置において異なっており、一体となって（これらが同時に表示されるとすると）、スクリーン全体をカバーする。照明イメージのフィルアウトされた部分領域は、スクリーンの全イメージ領域の上縁へのそれらの距離において互いに異なっており、レンズはスクリーンの全イメージ領域の上縁の上方に配置されている。更に、照明イメージシーケンスは、既に上記で述べた白色イメージと黒色イメージを備え得る。すると指数ａは例えば数値的に定義されることができ、例えば１≦ａ≦Ｒ又は１≦ａ≦Ｒ＋２を満たす（白色イメージと黒色イメージで）。Ｒ＝３の「光沢測定ベクトル」Ｇ（ａ）は例えば、以下の成分を有する。
【００７０】
【表２】
2020507103.tif 000004
【００７１】
典型的に、それぞれの部分領域内のスクリーンの全カラーチャネルは、これらの照明イメージが白く見えるように最大可能輝度値で作動される。例えば、光沢測定ベクトルＧ（ａ）は各指数ａに関する総輝度値を備え、前記総輝度値は、各指数ａの照明イメージでの照明の元で、それぞれの物体像点におけるカメラの全センサ素子で測定されている。
【００７２】
しかしながら、原則として、照明イメージシーケンスがスペクトル組成又は色において他とは異なる、並びに、上述のように、それぞれフィルアウトされた部分領域の位置ａが異なっている照明イメージを備えることも可能である。例えば、上記のスペクトル指紋Ｆ（ｃ，ｄ）が各位置ａに関して取得されることができ、このカラー照明イメージは、この位置ａにおいてのみ、言及された部分領域をフィルアウトする。こうして、それぞれの物点における被測定物のスペクトル反射特性並びに光沢に関する情報を含む測定データセットＨ（ｃ，ｄ，ａ）が各物点に関して生成され得る。
【００７３】
例えば、被測定物の光沢特性に関する情報が、光沢測定ベクトルＧ（ａ）並びに測定データセットＨ（ｃ，ｄ，ａ）によって取得され得る。多くの他の可能な例、例えば、（人間又は動物の）毛、又は互いに隣接している多くの（人間の）髪によって形成される表面が、被測定物として考慮され得る。
【００７４】
照明イメージシーケンス中に測定イメージをキャプチャすることによって、測定イメージ内の像点又は物体像点の個数に依存して数百、数千又は数百万の被測定物の測定データセットが生成され得る。
【００７５】
例えば、評価ユニットは、例えば上記のスペクトル指紋Ｆ（ｃ，ｄ）、光沢測定ベクトルＧ（ａ）及び／又は測定データセットＨ（ｃ，ｄ，ａ）などの１つ、いくつか、又は各々の測定データセットを、少なくとも１つの予め定められた測定データセットと比較するように構成され得る。この比較の結果は例えば、それぞれの測定データセットがそれぞれの基準データセットとどの程度大きく異なるかを測る測定値であり得る。例えば、少なくとも１つの基準データセットはフィーチャ空間内に定義されることができ、測定データセットは、測定データセットと基準データセットのフィーチャ空間内での比較を引き続いて実行する為に、比較前に評価ユニットによってこのフィーチャ空間に変換され得る。
【００７６】
幾つかの基準データセットを与えられた場合、１つの結果は、それぞれの測定データセットの差が最小である基準データセットの特定であり得る。例えばランキングが生成されることができ、そこでそれぞれの測定データセットの基準データセットとの違いが少ないほど、この基準データセットが得るランクが上になる。それぞれの測定データセットの分類は、最高ランクの基準データセットを特定することによって評価ユニットによって行われ得る。
【００７７】
測定データセットのうち幾つか又は全部を（幾つかの）基準データセットと比較した後で、説明したランキングのトップに来る基準データセット、また、例えば最高ランクを最も高頻度で取得し、従って、最高総ランク（「多数決」により）を取得した基準データセットが特定され得る。被測定物の分類は全体としてこれによって評価ユニットによって行われ得る。
【００７８】
最高総ランキングで特定された基準データセットは、例えばユーザインターフェースを介して、例えば機器のスクリーンを介して測定結果として出力され得る。最高総ランキングで特定された基準データセットの代わりに、この基準データセットに対応する、又は被測定物の分類に対応する方式で対応する被測定物の特性も出力することができる。
【００７９】
本発明の幾つかの実施例は、記録された測定値の収集及び記憶のタイプ並びにそれらの、アプリケーション固有基準値とのそれらの比較に関する。一部の実施形態では、例えば、個々の測定データ又は測定データセット（スペクトル署名）の収集及び記憶、及びそれらの、データバンクからの対応するそれぞれの基準値（スペクトル署名）との直接比較は、評価ユニットの、アプリケーションに固有の実施形態の間に実行されない。例えば、全測定値にわたり実行された、記録された測定値の特性特徴の包括的収集及び記憶が行われることができ、例えば、これらの特性特徴と、同じ方式で決定された基準の特性特徴との比較が、アプリケーション固有の重み付けによって、例えば、人工ニューラルネットワークのシナプス要素で、又は、例えば分類方法などの機械学習の他の方法の同等のモジュールで実行され得る。モデルベース分析は、基準パターンとの単純な比較以上のものであり、代わりに、特定のケースのアプリケーション向けに実行され、アプリケーションドメイン内の測定信号の予測される典型的な偏差をカバーし、測定値から決定を導出する黙示的モデルを構築する系統的且つ包括的測定キャンペーンである。
【００８０】
評価ユニットは、測定データセットと基準データセットの前述の比較を、相応に訓練又は最適化された人工ニューラルネットワークによって実行するように構成され得る。測定データセットの、また被測定物全体の測定データセットの言及された分類は、この場合、この人工ニューラルネットワークを元に例えば数学的分類モデルによって行われ得る。人工ニューラルネットワークは、例えば２層又は２層を超える層、特に隠れた（内部）層を有し得る多層パーセプトロンであり得る。
【００８１】
例えば、測定タスクを解決する為に必要である、記録された測定データとアプリケーション関連情報の間の数学的関係のマッピングは、従って、予め定められた式の体系の解に基づく固定様式では行われず、自由に構成可能でありパラメータ化されるアルゴリズム、好ましくは機械学習分野からアプリケーションに固有の方式で行われる。
【００８２】
人工ニューラルネットワークは、訓練ケースによって訓練され得る。例えば、モニタ付き学習方法を与えられると、複数の訓練ケースはそれぞれ、入力ベクトルと出力ベクトルによって与えられ得る。提案される方法で生成され、その特徴的な特性が例えば前述の手法に従って決定されている既知の被測定物の測定イメージの前述の測定データセットが、入力ベクトルとして働き得る。典型的に、特徴的特性は単一の測定データセットから導出され得ず、多くの測定データセットの特性の一般化として決定され、言わばそれらは黙示的に決定される。測定イメージとは別個に取得され、被測定物の関心対象の特定の特性（例えば化学的組成、熟度、光沢特性又は、被測定物の関心対象の他の特性）を特徴づける測定値は、出力ベクトルとして働き得る。人工ニューラルネットワーク（即ちそのパラメータ）は、例えば誤差フィードバック（バックプロパゲーション）によってこれらの訓練ケースに関して後に最適化される。そのような技法に関する更なる詳細は、以下の学術書から例えば導き出され得る：
Ｒ．ロジャス（Ｒ．Ｒｏｊａｓ）著「ニューラルネットワークの理論：系統的導入（Theory of neural networks: A systematic introduction）」、シュプリンガー（Springer），１９９６年
Ｒ．ブラウス（R. Brause）著「ニューロンネットワーク：ニューロインフォマティクスへの導入（Neuronal networks: An introduction into neuroinformatics）」トイブナー（Teubner），１９９５年
Ｊ．ルンツェ（J. Lunze）著「エンジニアの為の人口知能（Artificial intelligence for engineers）」オルデンブルグ（Oldenbourg），２０１０年
【００８３】
予め定められた少なくとも１つの基準データセットは、モバイル電子機器、又は例えばコンピュータサーバ若しくはクラウド等のシステムの別のコンポーネントの、例えば内部メモリ等のデータメモリに記憶され得る。評価ユニットは、このデータメモリに自動的にアクセスして、説明された比較を実行できる為にデータメモリから基準データセットを取り出すように構成され得る。例えば、評価ユニットは、ユーザインターフェースを介した入力に依存して基準データセットの要求を実行するように構成され得る。例えば、調査されることになっている被測定物のタイプと、この被測定物のどの特性を調査するかを、ユーザインターフェースによって入力することが想定され得る。
【００８４】
評価ユニットは、測定データセットを評価するにあたり、カメラのスペクトル感度Ｃｃ（λ）又はスクリーンのスペクトル発光特性Ｄｄ（λ）又はそれら両方を考慮に入れるように構成され得る。（指数ｃ及びｄについては上記で説明済みである）。こうして、例えば、異なるスクリーンとカメラによって取得されている測定データセットの相互比較性、特に、前述のスペクトル指紋Ｆ（ｄ，ｃ）の、又は光沢測定ベクトルＧ（ａ）の相互比較性を改良することが可能になる。カメラのスペクトル感度Ｃｃ（λ）とスクリーンのスペクトル発光特性Ｄｄ（λ）は分光計によって測定されても、又は、それぞれの製造者の仕様から導出されてもよい。
【００８５】
上記の評価に加えて、又は上記の評価に代わって、評価ユニットは、カメラのスペクトル感度Ｃｃ（λ）とスクリーンのスペクトル発光特性Ｄｄ（λ）を考慮に入れながら測定データセットからの被測定物反射特性を決定するように構成され得る。言及した反射特性に関して、これは例えば、被測定物の反射度（それぞれの物点における）の、光の波長への依存性を測る被測定物の反射スペクトル（それぞれの物点における）であり得る。決定された反射スペクトルは多くの場合、被測定物の（少なくともその表面上での）（生）化学的組成又はこれに相関する被測定物の特性に関する情報を可能にする。
【００８６】
一般に、１つの物点における被測定物の測定された「スペクトル指紋」Ｆ（ｄ，ｃ）と、この物点における関心対象被測定物の実（未知）反射スペクトルＳ（λ）との間の関係は、波長領域全体にわたる積分として数学的に記述され得る：
【数１】
2020507103.tif 000005
【００８７】
スクリーンのｄ＝｛ｒ，ｇ，ｂ，ｗ，ｓ｝でのスペクトル発光特性Ｄｄ（λ）及びカメラのｃ＝｛ｒ，ｇ，ｂ｝でのスペクトル感度Ｃｃ（λ）は、上記のように定義される。波長ＡｋとＡｋ＋１の間のそれぞれの波長領域［Ａｋ，Ａｋ＋１］にわたる平均値としてのスペクトルチャネルＳｋは、ΔＡ＝Ａｋ＋１−Ａｋによって定義され得る：
【数２】
2020507103.tif 000006
【００８８】
するとスペクトル指紋Ｆ（ｄ，ｃ）の成分は、概ね、スペクトルチャネルＳｋにわたる合計として、従って以下として見られ得る：
【数３】
2020507103.tif 000007
それぞれの機器に固有の係数は以下である：
【数４】
2020507103.tif 000008
【００８９】
スペクトルチャネルＳｋは機器固有の変数Ｄｄ（λ）及びＣｃ（λ）に依存せず（又は比較的低度にのみ依存する）、従って、全タイプの機器にわたる適用に特に非常に適している。スペクトルチャネルＳｋは典型的にディスプレイの、また、カメラの全スペクトル波長領域を包含する。機器固有変数Ｄｄ（λ）及びＣｃ（λ）が既知でありスペクトル指紋Ｆ（ｄ，ｃ）の測定値を与えられて、スペクトルチャネルＳｋが未知である式の体系（式３）をもたらす。式の体系が適切に線形独立している場合、解を得たことになり、追求しているスペクトルチャネルＳｋを得たことになる。スペクトルチャネルＳｋの個数と位置は、この為に適切に選択され得る。しかしながらスペクトルチャネルＳｋの個数が多く選択され過ぎた場合、式の体系はもはや適切に線形独立しないことになる。一部の適用例、例えば市販のスマートフォンでは、式の体系は多くの場合、例えば５乃至６の個数のチャネルとしてＳｋを解決できる。一部の場合では、非線形効果を用いてより多数のチャネルＳｋが達成され得る。計算され得るそれぞれの機器に対するチャネルＳｋの可能な個数と位置は一般に、機器固有の変数Ｄｄ（λ）とＣｃ（λ）の差に、又はノイズの影響に依存する。一部の場合では、例えば１５チャネルＳｋも達成され得る。
【００９０】
上記の方式で決定された反射スペクトルＳ（λ）は、精度に限りがある概算である。それにもかかわらず、これによって有用な適用が実施され得る。
【００９１】
スペクトルチャネルＳｋに代わって又はスペクトルチャネルＳｋに加えて、言及した反射特性は例えば、被測定物への光の入射角（それぞれの物点における）への、被測定物反射度（それぞれの物点における）の依存性であり得る、又は依存性を含み得る。多くの場合、角度依存性反射度は、表面の光沢の客観的推論、従って、被測定物の表面に指向された反射光（分散反射光と対照的に）のシェア分への客観的推論を可能にする。例えば、この角度依存反射度は、各物点に関する前述の光沢測定ベクトルＧ（ａ）に基づいて、又は測定データセットＨ（ｃ，ｄ，ａ）に基づいて決定されてよく、或いは定量的に推定されてもよい。非常に光沢のある表面の場合、表面の角度依存性反射は典型的に、測定された反射光路の出射角が、入射ビームの入射角に厳密に対応する場合に、特に高く狭い強度最大値を示す。例えば、個々のピクセルの輝度のヒストグラムが計算され得る。例えば、角度に対する反射の寸法値（スクリーンの現在照明されている部分に対応する）が、ヒストグラム又はその特性を元に、例えば閾値又はヒストグラムの分析によって計算され得る。
【００９２】
測定データセットの文脈で既に説明したように、特に、スペクトル指紋Ｆ（ｃ，ｄ）、光沢因子Ｇ（ａ）及び測定データセットＨ（ｃ，ｄ，ａ）の文脈において、評価ユニットは付加的に、又は代替的に、被測定物の決定された反射特性、従って例えばスペクトルチャネルＳｋ又は角度依存性反射度の決定された値を、少なくとも１つの予め定められた基準反射特性と比較するように構成され得る。
【００９３】
非常に軽微ではありながらも完全に排除することはできない特性の機器依存性変動、特にスクリーンの、またモバイル機器（例えばスマートフォン）のカメラの特性の機器依存性変動の背景に対して、例えば、機器固有較正が、測定精度を増加させる為に実行されてよい。好ましくは、この材料の、従ってスペクトル特性の可能な限り低い変動を特徴とする既知の較正規準の一度限りの、又は繰り返される測定が、モバイル機器（例えばスマートフォン）で実行され得る。測定に関して、ここで提案される測定方法がモバイル機器で実行され、言及した較正規準の測定イメージがこうして生成される。引き続いて、測定によって取得された、スペクトルチャネルＳｋの又は前述の反射特性の、例えば前述の測定データセットの形式での測定セットの、例えば評価ユニット内又はモバイル機器の内部データメモリ内に記憶されたこの較正規準の対応する基準データセットとの比較が行われる。この基準データセットは例えば、１つ以上の較正規準の使用によって、非常に精密な方法によって事前に決定されている。例えば、機器固有の変数Ｄｄ（λ）及びＣｃ（λ）の値は、スペクトルチャネルＳｋの測定データの、スペクトルチャネルＳｋの対応する基準値との比較に基づいて新たに計算され、将来の測定で使用する為に記憶され得る。例えば、制御ユニット及び／又はモバイル機器の評価ユニットは、較正に必要である変数Ｄｄ（λ）及びＣｃ（λ）の新たな計算を、機器の以前に作動された（例えばユーザによって、ユーザインターフェースを介して）較正モードで自動的に実行するように構成され得る。
【００９４】
例えばスペクトル的に特に一定である材料（ＰＴＦＥ、テフロン（登録商標））の、市販でありスペクトル較正された／特徴較正規準が、上述の較正規準の設計として用いられ得る。特に消費者によって好まれる使用及び、コストを伴う付加ハードウェアの意図的な回避に関する更なる設計可能性は、一般に容易にアクセス可能であり、紙幣などの別の用途を実際備えた可変度の少ない物体を較正規準として使用することにある。
【００９５】
上述の、特にモバイル機器（例えばスマートフォン）のスクリーンとカメラの特性の機器固有の変動が機器の通常の寿命と貯蔵寿命中に変化しないと仮定すると、この機器固有の較正は典型的に一度のみ必要である。特にモバイル機器のスクリーンとカメラの特性の機器固有の変動が大きい場合（例えば過度の磨耗によって）、この較正は基本的に、発生している変動を考慮に入れる為に望むだけ頻繁に繰り返され得る。そのような変動は、提案される較正によって低減され得る。これは、スマートフォン及び消費者向けの同等のモバイル機器の場合に特に有利であるが、それは、そのような機器が、ディスプレイの発光挙動並びにカラーカメラのフィルタ特性において多くの場合異なっており、多くの場合これらの特性が、大量の労力を伴う測定技術でのみ直接得ることができるからである。
【００９６】
異なるアプリケーションがシステム、方法及びコンピュータプログラムに生じ、そのアプリケーションのうち一部が、例として列挙され、アプリケーションコンプレックスに従ってソートされる。被測定物の例、関心対象のそれぞれの被測定物の可能な特性の例並びに推奨行動の例を列挙する。
【００９７】
アプリケーションコンプレックス１：
人−医薬：
−肌質
−髪質
−髪色
−変色（黒子、黒色腫）
−傷の治癒、炎症の色
−疾患（例えば、代謝性疾患、感染症、アレルギー）及び／又は髪又は肌（動物の場合は毛皮）における特定の変化に基づいて不全の発現を認識、客観的に査定及び／又は文書化する。例えばそれぞれの疾患の治療に関して、不全症状の治療に関して、栄養を最適化する為の、髪又は肌（動物の場合は毛皮）の手入れを最適化する為の、これに基づいた推奨行動の自動又は半自動推論（支援システムの文脈において）。例えば、ケア製品（例えばローション、シャンプー等など）又は特定の食料品（所謂「機能性食品」、果物、人工的に製造された食料品サプリメント製品等など）又は特定の食品原料成分（例えば、ビタミン、ミネラル等）が、栄養又は手入れを最適化する為に、例えば自動又は半自動方式で推奨され得る。
人−化粧品（ケア製品及び行動の推奨）：
−肌質、肌色（全般的）
−化粧品の選択
−日焼け止めの選択
−染料の選択
−ケア製品の選択
−肌色（現在の）
−黒化度
−髪色（現在の）
−新たなカラーリング、カラーリングが必要か？
ペット及び家畜
−肌、毛皮
−ケア製品
−健康
【００９８】
アプリケーションコンプレックス２：
野菜製品の製造及び処理：
−農作物で生体内で、温室及び実験室で（あらゆるタイプの生物的及び非生物的ストレスで）栽培された製品の健康及び栄養状態を認識する
−農作物の農業生産の枠組み内で雑草と望ましくない植物を認識する
−収穫並びに貯蔵、販売及び更なる処理当時／その後の収穫物の品質パラメータを決定する
−収穫時／収穫後並びに貯蔵、販売及び更なる処理での、収穫物の望ましくない製品｜物体｜汚染｜真菌及び害虫の侵入を認識する
植物栽培（選択）又は採種（品質保証）の枠組み内で種の数量パラメータを決定する
【００９９】
アプリケーションコンプレックス３：
レザー、毛皮、天然又は人造材料などのテキスタイルの特性を判定する
−色
−テクスチャ
−組成
−産地
−年齢
−清潔さ
−色のニュアンス、スタイルカウンセリング（どのテキスタイルがいつ適合するか）
【０１００】
アプリケーションコンプレックス４：
食料品（果物、野菜、魚、肉、きのこ、乳製品、加工食品）の特性を判定する
−貯蔵寿命
−鮮度、年齢、熟度
−純度、組成
−多様性
−処理度
−加工又は未加工
【０１０１】
説明したアプリケーション例に関して、それぞれの言及した物体の測定イメージが例えば提案システムによってキャプチャされ、それらは次にシステムによって評価される。物体の特定の特性又はそれから派生する情報などの、各場合において関心対象である情報は、例えばモバイル機器の評価ユニットによって、システムによって決定される。例えば、それぞれの推奨行動が次に、このように決定された情報に基づいて（物体の決定された特性及び／又はこれから派生する情報）決定され得る。決定された情報及び／又は決定された推奨行動は、モバイル機器を介して、例えば、モバイル機器のディスプレイによって光学的に、及び／又はモバイル機器のラウドスピーカーによって音響的にユーザに出力され得る。例えば、ユーザが測定を実行する前にモバイル機器のユーザインターフェースを介して入力を請け負うことを想定してもよく、その入力によって被測定物の入力タイプ、関心対象である情報のタイプ及び／又は推奨行動のタイプが指定される。上記で既に述べたように、照明イメージシーケンスの照明パラメータ並びに測定イメージの評価はこの入力に依存し得る。
【０１０２】
本明細書で提案されるシステム及び方法をもって、ユーザは物体の測定を実行でき、一般的に利用可能なモバイル機器によって、例えばスマートフォンによって単純な方式で、関心対象である物体の特性と、潜在的に、推奨行動の情報も得ることができる。本明細書で説明した実施例のうち多くの実施例では、システム又は方法は、モバイル機器と、系統的データ収集と、機械学習及びモデルベースのアプリケーション固有の認識の組み合わせである。この組み合わせによって、システムは、システムによる専門知識（例えば医者の知識）を学習する立場にもあることになり、例えば、どの特性からどの特定の推奨行動が導出され得るかを学習する立場にもあることになる。これによって、システムは場合によってはユーザを専門家に頼らなくてもよくし、更に、以前には存在しなかった配列でも使用され得る。
【図面の簡単な説明】
【０１０３】
以下、本発明を図１乃至８に模式的に提示される特別な実施例によってより詳細に説明する。
【図１】本明細書で提案されるタイプのシステムの図である。
【図２】図１に示されるシステムのモバイル電子機器の図である。
【図３Ａ】乃至
【図３Ｅ】図１に示されたシステムのモバイル電子機器の、正面から見た、それぞれ第１の照明イメージシーケンスの異なる照明イメージを表示した図である。
【図４】図１に示されたシステムのモバイル電子機器の、第１の照明イメージシーケンスの照明イメージと被測定物を示した側面図である。
【図５Ａ】乃至
【図５Ｅ】図１に示されたシステムのモバイル電子機器の、正面から見た、それぞれ第２の照明イメージシーケンスの異なる照明イメージを表示した図である。
【図６Ａ】乃至
【図６Ｃ】図１に示されたシステムのモバイル電子機器の、それぞれ第１の照明イメージシーケンスの異なる照明イメージと被測定物を表示した側面図である。
【図７】図１に示されるシステムの機器によって被測定物からキャプチャされた幾つかの測定イメージの模式図である。
【図８】本明細書で提案されるタイプの方法のステップでの流れ図である。
【発明を実施するための形態】
【０１０４】
図において、同一の特徴又は互いに対応する特徴には同じ参照符号を付してある。
【０１０５】
図１は、本明細書で提案されるタイプの、被測定物の測定イメージをキャプチャし評価する為のシステム１を示す。システム１は幾つかのモバイル機器２を備えるが、図１ではより全体を見やすくする為１つのみのモバイル機器２を提示している。この例においてシステム１は更に、例えばコンピュータサーバ又はＰＣ又はクラウドなどの幾つかのコンピュータ３を備えるが、それらも同様にひとつのみが提示されている。以降の説明は機器２又はコンピュータ３それぞれに関し得るが、機器２のみ又はコンピュータ３のみが言及される。
【０１０６】
図示の例において、機器２とコンピュータ３は、コンピュータネットワーク４を介して、例えばインターネット及び／又はクラウドを介して互いに接続されている。他の実施形態では、システムは更なるコンピュータ３を備えていない。
【０１０７】
機器２は例えばスマートフォンであってよく、例えば、製造者アップル（Ａｐｐｌｅ）のｉＰｈｏｎｅ（登録商標）であってよい。しかしながら、機器２は、他の製造者のスマートフォン又は他のモバイル電子機器、例えばタブレットコンピュータであってもよい。
【０１０８】
機器は、ハウジング５とカメラ６を備え、カメラ６は、カメラ６の観測領域内で被測定物の測定イメージをキャプチャする為にハウジング５に一体化されている。機器は更に、イメージの発光表示の為の、ハウジング４に一体化されたスクリーン７を備えている。スクリーン７はカメラ６の観測領域に面している。
【０１０９】
図２は、機器２の幾つかのコンポーネントが示された、機器２の更なる模式図を示す。機器２は、ハウジングに一体化され、所定の照明イメージシーケンスの幾つかの異なる照明イメージを順次表示するようにスクリーン６を作動させるように構成された制御ユニット８を備えている。制御ユニット８は更に、所定の照明イメージシーケンスの各照明イメージの表示と同時に、被測定物の測定イメージをキャプチャするようにカメラ６を作動させるように構成されている。
【０１１０】
機器２は、機器２のハウジング４に一体化されたインターネットデータメモリ９を備えている。インターネットデータメモリ９は、例えば揮発性及び不揮発性データメモリ、例えばＲＡＭ及びＲＯＭを、例えば１つ以上のソリッドステートドライブの形態で備えている。
【０１１１】
ソフトウェアコードセクションを備えたコンピュータプログラム製品１０が、機器２にロードされる。制御ユニットによって実行され得る命令が、ソフトウェアコードセクションに含まれている。これらの命令の実行にあたり、制御ユニットはスクリーン６及びカメラ５の前述の制御を実行すると共に、コンピュータプログラム製品が機器２で作動する場合に以下に説明する更なるステップを実行する。
【０１１２】
コンピュータプログラム製品９はデータメモリ９に記憶されたコンピュータプログラムである。このコンピュータプログラムはコンピュータ３のデータメモリ１１に、例えばコンピュータ３のハードディスクに、又はクラウドメモリにも記憶され、例えばコンピュータ３から機器２に、コンピュータネットワーク４を介してロードされている。
【０１１３】
制御ユニット８は、プロセッサ１２の（論理又は集積）ユニット、例えば半導体チップとして実現された電子回路の形態の、機器２の例えばメインプロセッサ（ＣＰＵ）である。プロセッサ１２は、データメモリ９にアクセスする為に、また特に、データメモリ９にロードされたコンピュータプログラム製品又はそのロードされたソフトウェアコードセクションを取り出して、その後上述のステップ（スクリーン７とカメラ６の同時作動）並びに更に後で説明するステップを（機器の制御ユニット８として）続いて実行する為に機器２のデータメモリ９に接続されている。
【０１１４】
機器２は更に、同様に（デジタル）プロセッサ１２の（論理又は集積）ユニットである評価ユニット１３を備えている。評価ユニット１３は、測定イメージを評価する為の方法ステップを実行するように構成される。コンピュータプログラム製品は、対応する命令が符号化された更なるソフトウェアコードセクションを備え、これらは、機器のプロセッサ１２によって実行されることができ、その結果プロセッサ１２は、これらの更なる命令を実行すると機器２の言及した評価ユニット１３として機能する。
【０１１５】
例えば、方法は、データ接続に依存しないように、及び／又は極秘データを保護する為に、伝送データをこうして極減する為に機器２によって完全に実行され得る。原則として、付加的に又は代替的に、対応する評価ステップが例えばコンピュータ３によって実行されることも可能である。この為、コンピュータは（同様に）相応に構成された評価ユニット１４を備えることができ、それも同様にコンピュータ３のプロセッサ１５の（論理又は集積）ユニットであり得る。測定イメージの評価が部分的に機器の評価ユニット１３によって実行され、部分的にコンピュータ３の評価ユニット１４によって実行されることも可能である。
【０１１６】
この例での所定の照明イメージシーケンスは、以下に更に詳述する一組の照明パラメータによって完全に定義される。照明パラメータはモバイル電子機器２のデータメモリ９並びにコンピュータ３のデータメモリ１１に記憶されている。例えば、コンピュータプログラム製品１０のソフトウェアコードは、照明パラメータの定義と値を備えている。例えば、機器２のデータメモリ９への照明パラメータの自動記憶は、コンピュータプログラム製品１０の機器２へのローディングによって行われる。前述の方法ステップを実行すると、制御ユニット８は機器２のデータメモリ９（又は代替的にコンピュータのデータメモリ１１）から記憶された照明パラメータを検索し、次に検索した照明パラメータに基づいて所定の照明イメージシーケンスを決定し、次に、このように決定された予め定められた照明シーケンスの照明イメージを表示するようにスクリーン７を作動させ、これと同時に、測定イメージを記録するようにカメラ６を作動させる。
【０１１７】
機器２のスクリーン７は、機器のユーザインターフェース１６として機能するタッチスクリーンである。ユーザインターフェース１６は特に、提案される方法を実行する為の機器の動作を可能にする。例えば、所定の照明イメージシーケンスはユーザインターフェース１６を介して直接又は間接方式で設定され得る。例えば、異なる（記憶された）所定の照明イメージシーケンス間での選択が、ユーザインターフェース１６によって可能となる。これは、ユーザインターフェース１６によって、例えば、調査対象の被測定物のタイプを入力し、これらの選択された被測定物の関心対象の１つ以上の特性の選択がなされることで行われ得る。これらの入力に依存して、制御ユニット８は例えば照明イメージシーケンスの照明イメージを決定し、評価ユニット１３は例えば評価のタイプを決定する。ユーザインターフェースは更に例えば、機器２の音響出力を備えてよく、それは、例えば周囲光の影響が強すぎると評価された場合、又は測定イメージの実装されたイメージレジストレーション又は物体認識が、例えば物体特性又はユーザ挙動によってうまく実行され得なかった場合に、例えば警報信号を生成する為に、例えばインストールされたラウドスピーカー及び／又は振動モジュールの形態である。
【０１１８】
機器２のデータメモリ９はキャプチャされた測定イメージを記憶するように構成される。この為、制御ユニット８はキャプチャされた測定イメージをデータメモリ９に転送して記憶を開始する。例えば、機器の評価ユニット１３は、評価を実行する為に、データメモリ９に記憶された測定イメージにアクセスできる。更に、制御ユニット８は、例えば、測定イメージのキャプチャ後にキャプチャされた測定イメージのうち１つ以上を自動的に表示するようにスクリーン７を作動させ得る。基本的に、測定イメージがコンピュータ３に転送されて、そこのデータメモリ１１に記憶され、評価ユニット１４によって評価されることも、付加的又は代替的に可能である。
【０１１９】
更に、ｉＯＳ並びに更なるアプリケーションプログラム、特にインターネットブラウザ及びアップルストアアプリケーションなどの機器２のオペレーティングシステムが機器２のデータメモリ９にインストールされている。機器２の、アップルストアへの（インターネット）接続は、アップルストアアプリケーションを介して実行され得る。例えばアプリとしてのコンピュータプログラム製品１０が、このアップルストアアプリケーションを介してコンピュータ３のデータメモリ１１から機器２のデータメモリ１１にロードされ、そこに恒久的に記憶される。しかしながら、代替的に、コンピュータプログラム製品１０が、コンピュータ３のデータメモリ１１から機器のデータメモリ９に、プロバイダーのインターネットページから機器２のインターネットブラウザを介してウェブアプリとしてロードされることも可能である。コンピュータプログラムは次に、例えば方法を実行する為にデータメモリ９に一時的に記憶され、次に再び自動的に消去される。
【０１２０】
機器は、機器をインターネットに接続できる為に、例えばラジオインターフェースなどの幾つかの（無線）データインターフェースロケーション１７を備えている。
【０１２１】
モバイル（携帯式）電子機器２は、照明イメージの表示及び測定イメージのキャプチャ中に片手のみで被測定物に対して適切な位置にユーザによって位置合わせされて保持され得るように、小型で軽量である。従って機器は好ましくは１ｋｇ未満、例えば約２００ｇの重量である。略直方体ハウジング５の最大エッジ長さは例えば２０ｃｍ未満、例えば約１６ｃｍであり、最小エッジ長さは例えば１ｃｍ未満、例えば約８ｍｍである。
【０１２２】
機器のカメラ６は、ハウジング５の正面側１９に配置されカメラ６の観測領域２０を画定するレンズ１８を備えている。カメラ５はイメージセンサ２１を備え、それは例えばＣＣＤセンサ又はＣＭＯＳセンサ又はＩｎＧａＡｓセンサ等の感光半導体チップである。イメージセンサ２１は、全体グリッドに配置された複数のセンサユニット（図示せず）を備えている。センサユニットそれぞれは、カメラ６の異なるカラーチャネルに属するイメージセンサ２１の幾つかの隣接する感光センサ素子（図示せず）を備えている。各センサユニットは、カメラ６によってキャプチャされる測定されたイメージの像点（ピクセル）に対応する。イメージセンサ内でのセンサユニットと、それらのセンサ素子との位置は、それぞれのセンサユニットの２つのセンサ座標（ＸＹ）によって規定される。
【０１２３】
カメラ５は、約４００ｎｍ〜約８００ｎｍの波長の光に感応し、赤色、緑色及び青色カラーチャネルを備えている。カメラは、カラーチャネルそれぞれに関してチャネル固有のスペクトル感度Ｃｃ（λ）を有する。カメラのカラーチャネルそれぞれは、そのスペクトル感度が、カメラのそれぞれのカラーチャネルのチャネル固有のスペクトル感度に対応する、イメージセンサ２１のセンサ素子のサブセットによって形成される。各カラーチャネルのセンサ素子は従ってそれぞれ、イメージセンサ２１に渡って延在するサブグリッドに配置される。異なるカラーチャネルのセンサ素子のサブグリッドは、互いに空間的に重畳され、それによってイメージセンサ２１のセンサユニットの全体グリッドを形成する。
【０１２４】
スクリーン７はハウジング５の正面側１９に同様に配置され、約４００ｎｍ〜約８００ｎｍの可視スペクトル領域内で発光する。スクリーン７もカメラ６のように、赤色、緑色及び青色カラーチャネルを備えている。スクリーン７は、カラーチャネルそれぞれに関してスペクトル発光特性Ｄｄ（λ）を有し、前記特性は、スクリーン７の基本色の赤色、緑色及び青色に対応する。スクリーン７は、スクリーン７の全体グリッドに配置されスクリーン７の像点（ピクセル）を形成して共にスクリーン７の全イメージ領域２２をフィルする複数の光学素子（図示せず）を備えている。カラーチャネルそれぞれはスクリーンの光学素子のサブセットによって形成され、そのスペクトル発光特性はそれぞれのカラーチャネルのチャネル固有のスペクトル発光特性に対応する。スクリーンの各像点は、異なるカラーチャネルに属する隣接する一群の光学素子によって形成される。
【０１２５】
ラウドスピーカー又はマイクロフォン（両方とも図示せず）とは別に、例えば電話アプリケーション用に、機器は更に機器２のコンポーネントに電気エネルギーを供給する為の充電式エネルギー蓄積部４５を備えている。
【０１２６】
図１に示されたシステム１の電子機器が、図３Ａ乃至３Ｅでは正面からの図で示されており、それぞれの場合に、第１の所定の照明イメージシーケンスの照明イメージがスクリーン７によって表示される。図示の例において、この第１の照明イメージシーケンスは、赤色照明イメージ２３と、緑色照明イメージ２４と、青色照明イメージ２５と白色照明イメージ２６（白色イメージ）を備えている。更に、黒色照明イメージ２７（黒色イメージ）が表示される。
【０１２７】
モバイル電子機器２の制御ユニット８は、モバイル電子機器２のスクリーン７を、以下のように作動させるように構成される：
−スクリーン７の赤色カラーチャネルのみの光学素子を作動させ、赤色カラーチャネルの全ての作動された光学素子を、赤色カラーチャネルに関して予め定められた均一な輝度値で作動させることによって赤色照明イメージ２３を表示し、
−スクリーン７の緑色カラーチャネルのみの光学素子を作動させ、緑色カラーチャネルの全ての作動された光学素子を、緑色カラーチャネルに関して予め定められた均一な輝度値で作動させることによって緑色照明イメージ２４を表示し、
−緑色の青色カラーチャネルのみの光学素子を作動させ、青色カラーチャネルの全ての作動された光学素子を、青色カラーチャネルに関して予め定められた均一な輝度値で作動させることによって青色照明イメージ２５を表示する。
【０１２８】
均一な輝度値の代替として、それぞれのカラーチャネルの作動された光学素子は、例えば勾配（スクリーンにわたる）によって例えば互いに異なっている、異なる輝度値で作動されてもよい。
【０１２９】
それぞれの残りのカラーチャネルの作動されていない光学素子はオフにされるか、又はそれぞれ最小可能輝度値で作動される。
【０１３０】
白色イメージ２６は、制御ユニット８によって、スクリーンの全光学素子を作動させ、それらを最大可能輝度値で作動させて生成される。黒色イメージ２７は、スクリーン７の全光学素子をオフにするか非作動状態にするか、又はそれらを最小可能輝度値で作動させることによって生成される。白色照明イメージとバック照明イメージが、残りの測定イメージを較正する為、また周囲光の影響を推定する為に評価ユニット１３によって用いられる。
【０１３１】
第１の照明イメージシーケンスの照明イメージ２３，２４，２５，２６，２７はそれぞれ、スクリーン７の全イメージ領域２２を完全にフィルアウトする。上述の輝度値とは別に、第１の照明イメージシーケンスは以下の照明パラメータによって規定される：
−照明イメージの総数、この場合、全三色イメージ、白色イメージ及び黒色イメージ
−照明イメージのシーケンス、この場合、例えばシーケンス赤色、緑色、青色、白色、黒色（又は基本的に任意の他の予め定められたシーケンス）
−照明イメージの表示持続時間、この例では、１００ｍｓ〜２００ｍｓの範囲、例えば１５０ｍｓ
−個々の照明イメージの表示間の持続時間、この例では５ｍｓ〜１０ｍｓの範囲、例えば７ｍｓ。
【０１３２】
図４では、モバイル電子機器２が側面図で示されており、予め定められた第１の照明イメージシーケンスの照明イメージのうち１つ、例えば赤色照明イメージ２３が、スクリーン７によって表示されている。更に、カメラ６の観測領域２０内に配置された被測定物３８の一部分が更に提示されている。照明イメージ２３の表示中に、機器２のスクリーン７は赤色光を発光し（図４では破線で示されている）、被測定物３８をこの赤色光で照明する。照明イメージ２３に属する測定イメージを同時にキャプチャすると、被測定物２３によって反射された光（図４では破線で示されている）はカメラ６によってキャプチャされてイメージセンサ２１を照明する。これがこのように第１の照明イメージシーケンスの他の照明イメージに関して繰り返される。
【０１３３】
図１に示されたシステム１の電子機器が、図５Ａ乃至５Ｅに正面図で再び示されており、第２の所定の照明イメージシーケンスの照明イメージがスクリーン７によって表示されている。図示の例において、この第２の照明イメージシーケンスは、第１の照明イメージ２８と、第２の照明イメージ２９と、第３の照明イメージ３０と白色照明イメージ３１（白色イメージ）を備えている。更に、黒色照明イメージ３２（黒色イメージ）が表示されている。白色イメージ３１は第１の照明イメージシーケンスの白色イメージ２６と差異はない。同様に黒色イメージ３２は第１の照明イメージシーケンスの黒色イメージ２７と差異はない。
【０１３４】
第１、第２及び第３の照明イメージ２８、２９、３０はそれぞれ連続しており、各々スクリーン７の全イメージ領域２２の部分領域３３のみをフィルする。例えば、それぞれフィルアウトされた部分領域３３内のスクリーン７の光学素子は、各カラーチャネル内で最大可能輝度値で作動される。それぞれフィルアウトされた部分領域３３外では、光学素子はオフにされて作動されず、因って照明しない、又は最小可能輝度でのみ照明する。照明イメージのそれぞれフィルアウトされた部分領域３３はスクリーン７上で互いに重複しない。照明イメージによってそれぞれフィルアウトされた部分領域３３は、この例においてスクリーン７の全イメージ領域２２の１／３に相当する。しかしながら代替的に、照明イメージシーケンスは他の数のそのような照明イメージを備えてもよく、例えば、スクリーンの全イメージ領域の１／ＲのみをそれぞれフィルアウトするＲ照明イメージを備えてもよく、Ｒは例えば３より大きく２０未満である自然数である。
【０１３５】
第１、第２及び第３の照明イメージ２８，２９，３０のフィルアウトされた部分領域３３は、スクリーン７上でのそれらの配置において異なっている。示された図において、スクリーン７の全イメージ領域２３は、上縁３４、下縁３５、左縁３６及び右縁３７を有する。照明イメージ２８，２９，３０のフィルアウトされた部分領域３３は、上縁３４からのそれらの距離が異なっており、従って、スクリーン７の全イメージ領域２３の上縁３４の上方に配置されたカメラ５のレンズ１８から距離も異なっている。
【０１３６】
上記で規定した輝度値とは別に、第２の照明イメージは以下の更なる照明パラメータによって規定される；
−照明イメージの総数、この場合、スクリーン７の部分領域３３のみをそれぞれフィルアウトする３つの白色照明イメージ並びに１つの白色イメージと１つの黒色イメージ
−照明イメージのシーケンス、この場合、例えば第１、第２、第３の照明イメージ、白色イメージ３１、黒色イメージ３２シーケンス（又は基本的に任意の他の予め定められたシーケンス）、
−照明イメージの表示持続時間、この例では、１００ｍｓ〜２００ｍｓの範囲、例えば１５０ｍｓ
−個々の照明イメージの表示間の時間間隔、この例では５ｍｓ〜１０ｍｓの範囲、例えば７ｍｓ。
【０１３７】
モバイル電子機器２の制御ユニット８は従って、第１の照明イメージシーケンスの文脈で既に説明したように、第２の照明イメージシーケンスの照明イメージを表示し、これと同時に測定イメージをキャプチャするようにモバイル電子機器２のスクリーン７を作動させるように構成される。
【０１３８】
図６Ａ及び６Ｃにおいて、モバイル電子機器２はそれぞれ側面図で示されており、第２の照明イメージシーケンスの第１、第２及び第３の照明イメージ２８，２９，３０がスクリーン７によって表示されている。更に、カメラ６の観測領域２０内に配置された被測定物３８の一部が再び示されている。照明イメージ２３の表示中に、機器２のスクリーン７は発光し（図４に破線で示される）、いずれの場合にも異なる方向から被測定物３８を照明する。照明イメージ２３に属する測定イメージを同時にキャプチャすると、被測定物２３によって反射された光（図４に破線で示される）はカメラ６によってキャプチャされてイメージセンサ２１を照明する。
【０１３９】
例えば、第１の照明イメージシーケンスか第２の照明イメージシーケンスかを、機器２のユーザインターフェース１６を介して選択することが可能である。制御ユニット８が、例えば被測定物３８のタイプによって、又は調査される被測定物３８の特性によって、第１の照明イメージシーケンスか第２の照明イメージシーケンスかを自動選択することを想定してもよい。例えば、被測定物３８のタイプと、調査されるべき特性はユーザインターフェース１６を介して入力され得る。評価ユニット１３は、この入力に依存して測定イメージの評価を実行するように構成される。
【０１４０】
評価は原則として、機器によって、例えば、測定イメージのキャプチャ中に現在時間及び機器２の現在位置によって決定される更なる変数に依存してよい。時間は例えば、機器のシステムクロックによって、機器２のＧＰＳモジュール４による位置座標によって決定されている可能性がある。例えば、各測定イメージは対応する時間署名と位置署名を担持し得る。こうして、位置依存性影響変数が決定されることができ、前記影響変数は調査されることになっている、又はこれらに影響する被測定物の特性と相関する。これは例えば、調査されることになっている被測定物が例えば人の髪であり、調査されることになっている特性が例えば空気の光沢である場合に特に該当するが、それはそれぞれの支配的な髪の構造が地球の異なる領域では異なっているからである。更に、システムの機能性は、ＧＰＳデータに基づいて制御、制限又は完全に防止され得る。例えば、制御ユニット８は、方法を、他の国又はより小規模の地理的領域（例えば、製造場所、ショッピングセンター）では限定された又は修正された方式でのみ実行する（特に、測定イメージのキャプチャ及び／又はそれらの評価）為に、また、他の国又はより小規模の地理的領域（例えば、製造ロケーション、ショッピングセンター）では方法の実施を完全にブロックする為に、特定の国又はより小規模の地理的領域（例えば、製造ロケーション、ショッピングセンター）においてのみ無制限な方式で方法を実行するように構成され得る。
【０１４１】
図７は、図１に示されたシステム１の機器によって被測定物２３８からキャプチャされた幾つかの測定イメージ３９の模式図を示す。例えば、図示の測定イメージ３９は、第１の照明イメージシーケンスの照明イメージ２３乃至２７を表示するのと同時にキャプチャされた測定イメージ又は、第２の照明イメージシーケンスの照明イメージ２８乃至３２を表示するのと同時にキャプチャされた測定イメージである。
【０１４２】
カメラ６によって記録された測定イメージ３９それぞれは、全体グリッドに配置され、イメージセンサのセンサユニットに割り当てられ、それぞれの測定イメージ内の位置が、それぞれのセンサユニットのセンサ座標に依存する、又はこれらに対応する２つのイメージ座標（ＸＹ）によって規定される複数の像点４０（ピクセル）を備えている。測定イメージ３９は、イメージ情報、特に、測定イメージのそれぞれの像点の輝度値が符号化されたイメージデータを備えている。測定イメージ３９の像点４０の輝度値は例えば、それぞれの測定イメージ３９をキャプチャしたときのイメージセンサ２１のそれぞれ割り当てられたセンサユニットのセンサ素子の充電又は放電状態に依存する。
【０１４３】
同様に図６に提示されるように、測定イメージ３９の像点４０が、例えばイメージレジストレーションによって機器の評価機器１３によって（代替的に、コンピュータ３の評価ユニット１４によって）レジスタされた測定イメージ４１に統合され、マージされた像点４０のイメージデータが、レジスタされた測定イメージ４１のそれぞれのマージされた像点４０の測定データセットにグループ化される。測定イメージ３８のイメージレジストレーションの為に、必要に応じ、測定イメージ３９のイメージ変換、例えば、（局所的）座標変換（回転、並進移動、チルト及び／又は（局所的）リスケーリング、サブピクセル補間）が実行される。
【０１４４】
更に、物体認識アルゴリズムが、レジスタされた測定イメージ４１内の物体像点４２を、即ち被測定物３８の物点４３をイメージングする像点４０を認識する為に、レジスタ測定イメージ４０に基づいて例えば機器の評価ユニット１３によって（代替的にコンピュータ３の評価ユニット１４によって）実行される。物体認識アルゴリズムは、上記に更に説明したように例えば領域成長アルゴリズムに基づいていてよい。
【０１４５】
測定イメージ３９が、第１の照明イメージシーケンスの照明イメージ２３及び２７の表示と同時にキャプチャされたものである場合、測定データセットそれぞれは例えば前述の被測定物３８のそれぞれの関連する物点４３における被測定物の「スペクトル指紋」Ｆ（ｄ，ｃ）であり得、それらの成分は例えば表１に記載のように規定される。指数ｄはｄ＝｛ｒ，ｇ，ｂ，ｗ，ｓ｝によって定義され、式中ｒ，ｇ，ｇはそれぞれ赤色、緑色及び青色照明イメージ２３，２４，２５を表し、ｗは白色イメージ２６、ｓは黒色イメージ２７を表す。従って、指数ｃはカメラ６のカラーチャネルを表し、ｃ＝｛ｒ，ｇ，ｂ｝によって定義され、式中ｒ，ｇ，ｇはそれぞれカメラ６の赤色、緑色及び青色カラーチャネルを表す。
【０１４６】
測定イメージ３９が、第２の照明イメージシーケンスの照明イメージ２８乃至３２の表示と同時にキャプチャされた測定イメージである場合、個々の物体像点５２のグループ化された測定データセットは例えば「光沢測定ベクトル」Ｇ（ａ）であり、指数ａは第１の照明イメージシーケンスの個々の照明イメージを表す。第２の照明イメージシーケンスの第１、第２及び第３の照明イメージ２８，２９，３０に関して上述したように、スクリーン７の全カラーチャネルは、これらの照明イメージが白色に見えるように、それぞれの部分領域３３内で最大可能輝度値で作動される。例えば、光沢測定ベクトルＧ（ａ）は、各指数ａに関してカメラ６の全センサ素子で（物体像点４２において）測定された総輝度値を含む。
【０１４７】
原則として、任意の付加的な数の更なる照明イメージシーケンスが規定されることができ、これらはそれぞれのアプリケーションケースに適合される、即ち、それぞれの被測定物と、調査される被測定物のそれぞれの特性に適合される。既に上記で説明したように、照明イメージシーケンスは、スクリーン上のそれらの位置ａ並びにそれらの色において互いに異なっている照明イメージを備え得る。例えば、前述のスペクトル指紋Ｆ（ｃ，ｄ）が各位置ａに関して取得されることができ、カラー照明イメージは、対応する位置における言及した部分領域３３のみをフィルアウトする。こうして、例えば前述の測定データセットＨ（ｃ，ｄ，ａ）が各物点に関して生成されることができ、この測定データセットは、スペクトル反射特性並びにそれぞれの物点における被測定物の光沢に関する情報を含む。
【０１４８】
評価ユニット１３は例えば、物体像点４２に属する各測定データセットＦ（ｃ，ｄ）（又は代替的にＧ（ａ）又はＨ（ｃ，ｄ，ａ））を、幾つかの予め定められた基準データセットと比較するように構成される。基準データセットは例えばモバイル電子機器２のデータメモリ９に記憶される。比較は、例えば、相応に訓練された人工ニューラルネットワークに基づいて数理的分離モデルによって行われる。例えば分類に関してランキングが生成され、そのランキングにおいて、基準データセットからのそれぞれの測定データセットの差異が少ないほど、この基準データセットの得るランクが大きくなる。全測定データセットの、基準データセットとの比較の後で、評価ユニット１２は最高ランクを最高回数得た基準データセットを認識する。その後、被測定物の特性のアセスメントが行われ、前記アセスメントはこの認識された基準データセットに属しており、又は、被測定物の分類が、ユーザインターフェース１６を介して出力される。
【０１４９】
評価ユニットは更に、カメラのスペクトル感度Ｃｃ（λ）及びスクリーンのスペクトル発光特性Ｄｄ（λ）を考慮に入れながら、被測定物の反射測定を測定データセットから決定するように構成される。
【０１５０】
例えばユーザインターフェース１６を介して指定され得るアプリケーションのケースによって、決定されるべき反射特性は例えば、被測定物の反射スペクトルＳ（λ）（それぞれの物点における）である。例えば、評価ユニット１３は、上記で説明した式１乃至４を用いながら測定された「スペクトル指紋」Ｆ（ｄ，ｃ）から反射スペクトルＳ（λ）を（概して）決定するように構成され得る、又は、反射スペクトルＳ（λ）の概算としてスペクトルチャネルＳｋの値を決定するように構成され得る。
【０１５１】
代替的に、決定されるべき反射特性は例えば、被測定物上への入射光（それぞれの物点における）の角度への、被測定物の反射度依存性（それぞれの物点における）である。例えば、評価ユニットは、角度依存性反射度を、各物点の前述の光沢測定ベクトルＧ（ａ）（又は測定データセットＨ（ｃ，ｄ，ａ））に基づいて推定するように構成され得る。
【０１５２】
評価ユニット１３は更に、被測定物の決定された反射特性、即ち例えばスペクトルチャネルＳｋ又は角度依存性反射度に関する決定された値を、少なくとも１つの予め定められた基準反射特性と比較して、被測定物をそれに従って、例えば上述のような人工ニューラルネットワークに基づく分類モデルによって分類するように構成される。
【０１５３】
評価の結果は次にスクリーン７上に表示されて機器のデータメモリ１１に記憶される。
【０１５４】
システムで実行され得る方法は、図７に、流れ図の形式で提示されている。
ステップ１は以下を含む：
−制御ユニット８によって、所定の照明イメージシーケンスの幾つかの異なる照明イメージを順次表示するようにモバイル電子機器２のスクリーン７を作動させ、
−所定の照明イメージシーケンスの各照明イメージの表示と同時に、被測定物３８の測定イメージ３９をキャプチャするようにモバイル電子機器２のカメラ６を作動させる。
ステップ２は以下を含む：
−測定イメージ３９を、レジスタされた測定イメージ４１にレジスタする。
ステップＳ３は以下を含む：
−例えば、特に、例えばオフにされたディスプレイの場合又は黒色照明イメージの表示中に記録された被測定物の１つ以上の測定イメージを用いた周囲光の影響の考慮などのスペクトル前処理。周囲光の影響が甚大すぎる場合、対応する警告が、例えばスクリーン７によって、又は音声又は振動警報によってユーザに出力され得る。
ステップＳ４は以下を含む：
−レジスタされた測定イメージ４１の像点又は物体像点４２に属する測定データセットが、例えば人工ニューラルネットワークに基づく数理的分類モデルによって分類される、ピクセル毎のパターン分類。
ステップＳ５は以下を含む：
例えば、ランキング及び／又は多数決による結果の集計。
ステップ６は以下を含む：
例えばスクリーン７による結果表示と、例えば機器のデータメモリ９及び／又はコンピュータ３のデータメモリ１１による結果の表示。
【０１５５】
原則として、ステップＳ２乃至Ｓ６を機器２の評価ユニット１３のみで実行することが可能であり、又は、測定イメージ３９の対応する転送後に、コンピュータ３の評価ユニット１４で実行することが可能である。
【０１５６】
被測定物３８は人の（又は代替的に動物の）髪によって形成され得る。調査すべき特性は、例えば髪の光沢である。被測定物３８の他の可能な例と、調査すべき特性は、上記に記載したアプリケーションコンプレックス１乃至４に記載されている。
【０１５７】
取り分け、提案される方法に関して以下の実施例が説明される。
１．本明細書で提案されるタイプのシステムで被測定物の測定イメージをキャプチャする方法であって、
−制御ユニットによって、所定の照明イメージシーケンスの幾つかの異なる照明イメージを順次表示するようにモバイル電子機器のスクリーンを作動させるステップと、
−所定の照明イメージシーケンスの各照明イメージの表示と同時に、被測定物の測定イメージをキャプチャするようにモバイル電子機器のカメラを作動させるステップと、を含む方法。
２．例１に記載の方法であって、モバイル電子機器のスクリーンが幾つかのカラーチャネルを備え、スクリーンが、カラーチャネルそれぞれに関してチャネル固有のスペクトル発光特性を有し、スクリーンが、グリッド内に配置された複数の光学素子を備え、カラーチャネルそれぞれは、そのスペクトル発光特性がそれぞれのカラーチャネルのチャネル固有のスペクトル発光特性に対応する、スクリーンの光学素子のサブセットによって形成される方法。
３．例２に記載の方法であって、更に、
−スクリーンの単一のカラーチャネルのみの光学素子を作動させ、このカラーチャネルの全ての作動された光学素子を、このカラーチャネルに関して予め定められた均一な輝度値で作動させることによって、又は、
−幾つかのカラーチャネルの光学素子を作動させ、全ての作動された光学素子を、それぞれのカラーチャネルに関して予め定められた均一な輝度値で作動させることによって、
−１つ以上のカラーチャネルの光学素子を作動させ、全ての作動された光学素子を、それぞれのカラーチャネルに関して予め定められた勾配をもって作動させることによって、
所定の照明イメージシーケンスのうち１つ以上の照明イメージを表示するようにモバイル電子機器のスクリーンを作動させることを含む方法。
４．例２又は３のうちいずれかに記載の方法であって、モバイル電子機器のスクリーンが赤色カラーチャネル、緑色カラーチャネル及び青色カラーチャネルを備え、照明シーケンスが赤色照明イメージ、緑色照明イメージ及び青色照明イメージを備え、方法が、
−スクリーンの赤色カラーチャネルのみの光学素子を作動させ、赤色カラーチャネルの全ての作動された光学素子を、赤色カラーチャネルに関して予め定められた均一な輝度値で作動させることによって赤色照明イメージを表示し、
−スクリーンの緑色カラーチャネルのみの光学素子を作動させ、緑色カラーチャネルの全ての作動された光学素子を、緑色カラーチャネルに関して予め定められた均一な輝度値で作動させることによって緑色照明イメージを表示し、及び／又は、
−スクリーンの青色カラーチャネルのみの光学素子を作動させ、青色カラーチャネルの全ての作動された光学素子を、青色カラーチャネルに関して予め定められた均一な輝度値で作動させることによって青色照明イメージを表示する、
ようにスクリーンを作動させることを含む方法。
５．例１乃至４に記載の方法において、所定の照明イメージシーケンスの各照明イメージのうち以下のイメージ特性の１つ以上が予め定められている：
−それぞれの照明イメージを表示したときにスクリーンによって発光される光のスペクトル組成、及び／又は、
−スクリーンの各カラーチャネルに関して、例２乃至４のうちいずれか１つにこの例が戻って関連する限りの、均一な輝度値、及び／又は、
−それぞれの照明イメージによってフィルアウトされるスクリーン領域、及び／又は、
−スクリーンの全イメージ領域内でそれぞれの照明イメージによってフィルアウトされるスクリーン領域の配置。
６．例１乃至５に記載の方法であって、照明イメージそれぞれはスクリーンの全イメージ領域の部分領域のみをフィルアウトし、照明イメージのフィルアウトされた部分領域は、スクリーンの全イメージ領域上でのそれらの配置において互いに異なっている、方法。
７．例６に記載の方法であって、スクリーンの全イメージ領域は上縁、下縁、左縁及び右縁を備え、照明イメージのフィルアウトされた部分領域は、スクリーンの全イメージ領域の上縁からのそれらの距離において互いに異なっており、レンズはスクリーンの全イメージ領域の上縁の上方に配置されている、方法。
８．例１乃至７に記載の方法であって、システムは、所定の照明イメージシーケンスを部分的に又は完全に規定する照明パラメータが記憶されている少なくとも１つのデータメモリを備え、方法が、
−少なくとも１つのデータメモリに記憶された照明パラメータをデータメモリから検索し、
−検索された照明パラメータに基づいて所定の照明イメージシーケンスを決定する、
ことを含む、方法。
９．例１乃至８に記載の方法であって、モバイル電子機器のカメラが幾つかの異なるカラーチャネルを備え、カメラは、カラーチャネルそれぞれに関してチャネル固有のスペクトル感度を有し、カメラはグリッドで配置された複数のセンサ素子を備えたイメージセンサを備え、カメラのカラーチャネルそれぞれは、そのスペクトル感度がカメラのそれぞれのカラーチャネルのチャネル固有の感度に対応するイメージセンサのセンサ素子のサブセットによって形成される、方法。
１０．モバイル電子機器のカメラは赤色カラーチャネル、緑色カラーチャネル及び青色カラーチャネルを備えている、例９に記載の方法。
１１．例１乃至１０のいずれかに記載の方法であって、測定イメージそれぞれは複数の像点並びに像点に割り当てられたイメージデータを備え、方法が、
−測定イメージの像点をマージし、
−マージされた像点のイメージデータを、それぞれのマージされた像点の測定データセットにグループ化する、ことを含む方法。
１２．例１１に記載の方法であって、測定イメージの像点は、測定イメージ（３９）のイメージレジストレーションによって纏められる方法。
１３．例１１及び１２のうちいずれかに記載の方法であって、測定データセットは、機械学習によって較正又は訓練されたアルゴリズムによって評価される方法。
１４．例１３に記載の方法であって、アルゴリズムは、モニタされた学習方法によって、又は、モニタされない学習方法によって訓練されている方法。
１５．例１１乃至１４のうちいずれかに記載の方法であって、測定データセットは分類方法によって評価される方法。
１６．例１１乃至１５のいずれかに記載の方法であって、測定データセットは人工ニューラルネットワークによって評価される方法。
１７．例１１乃至１６のいずれかに記載の方法であって、
−測定データセットそれぞれを少なくとも１つの予め定められた基準データセットと比較することを含む方法。
１８．例１１乃至１７のいずれかに記載の方法であって、
−カメラのスペクトル感度とスクリーンのスペクトル発光特性を考慮に入れながら測定データセットからの被測定物の少なくとも１つの反射特性を決定することを含む、方法。
１９．例１１乃至１８のいずれかに記載の方法であって、
−被測定物の決定された少なくとも１つの反射特性を、少なくとも１つの予め定められた基準反射特性と比較する、ことを含む方法。
２０．例２乃至５のうち１つ及び例９又は１０のうち１つと組み合わせた、例１１乃至１９のうちいずれかに記載の方法であって、スクリーンがＭ個のカラーチャネルを備えカメラがＮ個のカラーチャネルを備え、Ｍ＞１であってＮ＞１であり、各測定データセットが少なくともＭ×Ｎ測定値を備え（Ｆ（ｄ，ｃ）、１≦ｄ≦Ｍであり１≦ｃ≦Ｎ）、Ｍ×Ｎ測定値は、カメラのカラーチャネルとのスクリーンのカラーチャネルのＭ×Ｎの異なる組み合わせに対応する方法。
２１．例１乃至２０のいずれかに記載の方法であって、モバイル電子機器はユーザインターフェースを備え、方法は更に、
−所定の照明イメージシーケンスをユーザインターフェースを介して設定又は指定する、及び／又は、
−ユーザインターフェースを介して異なる所定の照明イメージシーケンス間で選択する、及び／又は、
−ユーザインターフェースを介して、異なる被測定物間で、及び／又は関心対象の被測定物の異なる特性間で選択し、被測定物及び／又は関心対象の特性のなされた選択に則して、幾つかの記憶された所定の照明イメージシーケンス間で、所定の照明イメージシーケンスを選択する（例えば、モバイル機器の制御ユニットによって自動的に）、ことを含む方法。
２２．例１乃至２１のいずれかに記載の方法であって、
−較正規準の測定イメージをキャプチャし、
−較正規準の測定イメージと、較正規準に属する記憶された基準データセットとを用いながらモバイル機器を較正し、特に、モバイル機器のカメラ及び／又は較正スクリーンを較正する、ことを含む方法。
２３．スクリーンはタッチスクリーンとして設計されている例１乃至２２のいずれかに記載の方法。
２４．モバイル電子機器はスマートフォン又はタブレットコンピュータである、例１乃至２３のいずれかに記載の方法。
【０１５８】
モバイル電子機器の内部データメモリにロードされ得る提案のコンピュータプログラム製品は、モバイル電子機器上でコンピュータプログラム製品が動作する場合に、例えば例１乃至２４のうちいずれかに記載の方法のステップがそれで実行されるソフトウェアコードセクションを備えている。
【０１５９】
更に、機器２の較正モードは、モバイル機器２のユーザインターフェース１６を介して作動され得る。モバイル機器２の制御ユニット８及び評価ユニット１３は、言及した較正モードでの較正規準の測定イメージをキャプチャして評価するように構成される。このキャプチャの為、較正規準はユーザによってカメラ６の観測領域２０内に保持される。説明したように、スペクトルチャネルＳｋの値は、評価ユニット１３によって測定イメージから計算され、次にこの較正規準に属しておりモバイル機器２のデータメモリ９に記憶されている基準データセットと比較される。変数Ｄｄ（λ）及びＣｃ（λ）の値は、この比較に基づいて自動的に再計算されて、更なる測定に備えてデータメモリ９に記憶される。
【符号の説明】
【０１６０】
１  システム
２  機器
３  コンピュータ
４  コンピュータネットワーク
５  ハウジング
６  カメラ
７  スクリーン
８  制御ユニット
９  データメモリ
１０  コンピュータプログラム製品
１１  データメモリ
１２  プロセッサ
１３  評価ユニット
１４  評価ユニット
１５  プロセッサ
１６  ユーザインターフェース
１７  データインターフェース
１８  レンズ
１９  正面側
２０  観測領域
２１  イメージセンサ
２２  全イメージ領域
２３〜３２  照明イメージ
３３  部分領域
３４  上縁
３５  下縁
３６  左縁
３７  右縁
３８  被測定物
３９  測定イメージ
４０  像点
４１  測定イメージ
４２  物体像点
４３  物点
４４  ＧＰＳモジュール
４５  エネルギー蓄積部
【図１】
2020507103.tif 000009
【図２】
2020507103.tif 000010
【図３Ａ】
2020507103.tif 000011
【図３Ｂ】
2020507103.tif 000012
【図３Ｃ】
2020507103.tif 000013
【図３Ｄ】
2020507103.tif 000014
【図３Ｅ】
2020507103.tif 000015
【図４】
2020507103.tif 000016
【図５Ａ】
2020507103.tif 000017
【図５Ｂ】
2020507103.tif 000018
【図５Ｃ】
2020507103.tif 000019
【図５Ｄ】
2020507103.tif 000020
【図５Ｅ】
2020507103.tif 000021
【図６Ａ】
2020507103.tif 000022
【図６Ｂ】
2020507103.tif 000023
【図６Ｃ】
2020507103.tif 000024
【図７】
2020507103.tif 000025
【図８】
2020507103.tif 000026
【国際調査報告】
2020507103.tif 000027
2020507103.tif 000028
2020507103.tif 000029
2020507103.tif 000030
2020507103.tif 000031
2020507103.tif 000032